(57)【特許請求の範囲】
【請求項１】
乾燥組成物を調製する方法であって、以下の順次工程：
a.  粉末状の作用剤および水性媒体を用意する工程、
b.  該粉末状の作用剤および該水性媒体を混合してペーストとする工程、
c.  該ペーストを減圧に供し、それにより該ペーストを膨張させる工程、
d.  該膨張したペーストを凍結させる工程、および
e.  該ペーストを凍結乾燥させる工程
を含む、方法。
【請求項２】
前記減圧は、常圧より少なくとも１０ｍｂａｒ低い圧、例えば、常圧より少なくとも５０ｍｂａｒ低い、例えば常圧より少なくとも１００ｍｂａｒ低いなど、例えば、常圧より少なくとも１５０ｍｂａｒ低い、例えば常圧より少なくとも２００ｍｂａｒ低いなど、例えば、常圧より少なくとも２５０ｍｂａｒ低い、例えば常圧より少なくとも３００ｍｂａｒ低いなど、例えば、常圧より少なくとも３５０ｍｂａｒ低い、例えば常圧より少なくとも４００ｍｂａｒ低いなど、例えば、常圧より少なくとも４５０ｍｂａｒ低い、例えば常圧より少なくとも５００ｍｂａｒ低いなど、例えば、常圧より少なくとも５５０ｍｂａｒ低い、例えば常圧より少なくとも６００ｍｂａｒ低いなど、例えば、常圧より少なくとも６５０ｍｂａｒ低い、例えば常圧より少なくとも７００ｍｂａｒ低いなど、例えば、常圧より少なくとも７５０ｍｂａｒ低い、例えば常圧より少なくとも８００ｍｂａｒ低いなど、例えば、常圧より少なくとも８５０ｍｂａｒ低い、例えば常圧より少なくとも９００ｍｂａｒ低いなどの、圧である、請求項１に記載の方法。
【請求項３】
前記ペーストの体積は、前記減圧の結果として、約１．０５倍〜約２．０倍、例えば約１．１倍〜約１．８倍など、例えば、約１．２倍〜約１．６倍に増加する、請求項１または２に記載の方法。
【請求項４】
前記ペーストの密度は、前記減圧膨張の結果として、少なくとも０．９５倍、例えば少なくとも０．９０倍など、例えば、少なくとも０．８５倍、例えば少なくとも０．８０倍など、例えば、少なくとも０．７５倍、例えば少なくとも０．７０倍など、例えば、少なくとも０．６５倍、例えば少なくとも０．６０倍など、例えば、少なくとも０．５５倍、例えば前記減圧膨張の結果として少なくとも０．５０倍などで、低下する、請求項１から３のいずれか１項に記載の方法。
【請求項５】
前記粉末状の作用剤は、生体適合性重合体である、請求項１から４のいずれか１項に記載の方法。
【請求項６】
前記粉末状の作用剤は、水性媒体に不溶性である粒子からなる、請求項１から５のいずれか１項に記載の方法。
【請求項７】
前記粉末状の作用剤は、架橋している、請求項１から６のいずれか１項に記載の方法。
【請求項８】
前記粉末状の作用剤は、生物学的に吸収可能である、請求項１から７のいずれか１項に記載の方法。
【請求項９】
前記粉末状の作用剤は、ゼラチンを含むまたはゼラチンのみからなる、請求項１から８のいずれか１項に記載の方法。
【請求項１０】
前記ゼラチンは、乾燥加熱処理により架橋してあるゼラチンスポンジを微粒子化したものから得られる、請求項９に記載の方法。
【請求項１１】
工程ｂ）の前記混合は、前記ペースト全体に均質に分散した不連続気相を導入する、請求項１から１０のいずれか１項に記載の方法。
【請求項１２】
前記凍結乾燥させる工程は、水分量が約５％未満、好ましくは水分量が約２％未満、例えば水分量が約１％未満などである乾燥組成物をもたらす、請求項１から１１項のいずれか１項に記載の方法。
【請求項１３】
前記粉末状の作用剤および前記水性媒体は、さらに１種または複数の親水性化合物と混合される、請求項１から１２のいずれか１項に記載の方法。
【請求項１４】
前記ペーストは、凍結乾燥前、約２％〜約４０％の１種または複数の親水性化合物、例えば、約２％〜約３０％の１種または複数の親水性化合物、例えば約２％〜約２５％の１種または複数の親水性化合物など、例えば、約２％〜約２０％の１種または複数の親水性化合物、例えば約２％〜約１８％の１種または複数の親水性化合物など、例えば、約２％〜約１７％の1種または複数の親水性化合物、例えば約２％〜約１６％の１種または複数の親水性化合物など、例えば、約２％〜約１５％の１種または複数の親水性化合物を含む、請求項１３に記載の方法。
【請求項１５】
前記ペーストは、凍結乾燥前、以下：
a.  約２％〜約４０％の１種または複数の親水性化合物、
b.  約１０％〜約６０％の前記粉末状の作用剤、および
c.  約５０％〜約９０％の水
を含む、請求項１３または１４に記載の方法。
【請求項１６】
親水性化合物：生体適合性重合体の比は、約０．１：１〜０．８：１；例えば約０．１：１〜０．７：１など、例えば、約０．１：１〜０．６：１、例えば約０．１：１〜０．５：１など、例えば、０．１：１〜０．４５：１である、請求項１３から１５のいずれか１項に記載の方法。
【請求項１７】
前記１種または複数の親水性化合物は、１種または複数のポリオールである、請求項１３から１６のいずれか１項の記載の方法。
【請求項１８】
前記１種または複数のポリオールは、糖アルコール、糖類、および／またはそれらの誘導体から選択される、請求項１７に記載の方法。
【請求項１９】
前記１種または複数のポリオールは、糖アルコールである、請求項１８に記載の方法。
【請求項２０】
前記１種または複数の糖アルコールは、グリコール、グリセロール、エリスリトール、トレイトール、アラビトール、キシリトール、リビトール、マンニトール、ソルビトール、ズルシトール、フシトール、イジトール、イノシトール、ボレミトール、イソマルト、マルチトール、ラクチトール、およびポリグリシトールからなる群より選択される、請求項１９に記載の方法。
【請求項２１】
前記糖アルコールは、マンニトールである、請求項２０に記載の方法。
【請求項２２】
前記１種または複数の親水性化合物は、ポリエチレングリコール（ＰＥＧ）である、請求項１３から１８のいずれか１項に記載の方法。
【請求項２３】
前記乾燥組成物は、さらに、止血、創傷治癒、骨治癒、組織治癒、および／または腱治癒を刺激することができる１種または複数の生理活性作用剤を含む、請求項１から２２のいずれか１項に記載の方法。
【請求項２４】
前記生理活性作用剤は、トロンビンである、請求項２３に記載の方法。
【請求項２５】
前記乾燥組成物は、さらに、押出性向上剤、例えばアルブミンなど、好ましくはヒト血清アルブミンを含む、請求項１から２４のいずれかの１項に記載の方法。
【請求項２６】
前記水性媒体は、水、生理食塩水、塩化カルシウム溶液、および緩衝化水性媒体からなる群より選択される、請求項１から２５のいずれか１項に記載の方法。
【請求項２７】
工程ｂ）で得られる前記ペーストは、前記ペーストの膨張、凍結、および凍結乾燥に適した容器に移される、請求項１から２６のいずれか１項に記載の方法。
【請求項２８】
前記容器は、前記乾燥組成物の再構築を行いペーストを吐出するのに適した医薬送達デバイスである、請求項２７に記載の方法。
【請求項２９】
前記容器は、シリンジである、請求項２７または２８に記載の方法。
【請求項３０】
前記乾燥組成物を外側包装材、例えばアルミニウム箔包装材などに入れるさらなる工程を含む、請求項１から２９のいずれか１項に記載の方法。
【請求項３１】
前記乾燥組成物を滅菌するさらなる工程を含む、請求項１から３０のいずれか１項に記載の方法。
【請求項３２】
前記乾燥組成物に適切な量の水性媒体を加え、それにより前記乾燥組成物から再構築を行うさらなる工程を含む、請求項１から３１のいずれか１項に記載の方法。
【請求項３３】
前記乾燥組成物は、機械撹拌なしに再構築を行って、約３０秒たたないうちに、好ましくは約２０秒たたないうちに、より好ましくは約１０秒たたないうちに、さらにより好ましくは約５秒たたないうちに、例えば約３秒たたないうちになど、例えば、約２秒たたないうちに、すぐに使えるペーストを形成する、請求項１から３２のいずれか１項に記載の方法。
【請求項３４】
前記再構築されたペーストは、流動性組成物である、請求項３３に記載の方法。
【請求項３５】
前記再構築されたペーストは均質である、請求項３３または３４に記載の方法。
【発明の詳細な説明】
【技術分野】
【０００１】
本開示は、ペーストを減圧膨張させてから凍結乾燥させることにより、水性媒体を添加すると再構築を行って流動性ペーストを効率的に形成する乾燥ペースト組成物を得る方法に関する。本開示はさらに、減圧で乾燥ペースト組成物を保持するためのシリンジに関する。
【背景技術】
【０００２】
コラーゲンおよびゼラチンなどのタンパク質系止血材料は、外科処置用に、固形スポンジ状でおよび固めていないまたは詰めていない粉として市販されている。この固めていないまたは詰めていない粉を流体（生理食塩水またはトロンビン溶液など）と混合すると、混合条件および材料の相対比に応じてペーストまたはスラリーを形成させることができ、形成物は、びまん性出血の場合、特に、でこぼこした表面または手の届きにくい領域でそうなっている場合に用いる止血組成物として有用である。
【０００３】
従来の止血ペーストは、使用時に、固めていない粉と液体を機械的に振盪混合して、均一な組成物とすることにより、調製する。粉と流体の混合は、ビーカーなどの容器中で行うことができる。そのような混合では、粉をそれが最初に入っていた容器からビーカーに移し、粉の入ったビーカーに流体を加え、それから混合物を混練してペーストを形成する必要がある。そのようにしてペーストを形成して初めて、ペーストを送達手段またはアプリケーター（例えばシリンジ）に入れて、創傷に塗布することができる。
【０００４】
（特許文献１）は、粉状の止血剤（ゼラチン粉末など）を一定量含有する容器に関する。適切な量の液体を添加したら、蓋を閉じて容器を震盪撹拌することで、容器内での機械的混合が行われる。次いで、得られるパテ様止血ペーストを容器から取り出して患者に塗布することで、止血を促進することができる。
【０００５】
あるいは、１本目のシリンジ（シリンジＩ）に固めていないゼラチン粉末を、２本目のシリンジ（シリンジＩＩ）に液体を、予め入れておく試みがなされている。ペーストを作るときが来たら、ルアーロックを介してシリンジＩとＩＩを連結して、シリンジＩＩの溶液をシリンジＩに押し込む。シリンジＩとＩＩの間で溶液と粉末を何度か行き来させようと努めることで、最終的に均質なペーストが形成される。手術状況ではしばしば、均質なペーストを作るため、混合を行って、最適な粉末：液体比になっている止血ペーストを調製する必要がある。均質なペーストを作る目的で、粉末と液体を混合するためには、乾燥粉末を水和させる必要があるが、水和のためより長い調製時間が必要になるかもしれない。たとえ、そのような混合方法でペーストを上手く形成できるとしても、ペーストを形成するのに必要な時間および物理的労力は、望ましくないばかりか、許容できないことさえあり得る。また、そのような混合法は、ペーストの最終密度に影響を及ぼす可能性があり（混合しすぎるとペーストの密度が落ちる可能性がある）、そのため、混合の都度ペーストの堅牢度にばらつきがある。
【０００６】
Ｆｌｏｓｅａｌ（登録商標）Ｈａｅｍｏｓｔａｔｉｃ  Ｍａｔｒｉｘ（Ｂａｘｔｅｒ）は、止血ゼラチンペーストを作成するキットである。このゼラチンペーストは、最初にトロンビン溶液を作り、次いでゼラチンマトリクス・トロンビン溶液の混合物を、つないだ２つのシリンジの間で、合計で少なくとも２０回行き来させることにより、作成される。次いで、このペーストをシリンジから直接患者に塗布して、止血を促進することができる。
【０００７】
同様に、Ｓｕｒｇｉｆｌｏ（登録商標）Ｈａｅｍｏｓｔａｔｉｃ  Ｍａｔｒｉｘ（Ｅｔｈｉｃｏｎ）は、トロンビンを含む止血ゼラチンペーストを作成するキットである。このペーストは、ゼラチンマトリクス・トロンビン溶液の混合物を、つないだ２つのシリンジの間で、合計で少なくとも６回行き来させることにより、作成される。
【０００８】
（特許文献２）は、流動性止血ペーストを形成させるために必要な機械力および時間が少なくなるように、水性液体をより吸収しやすくした止血ペーストを調製する方法に関する。米国特許出願公開第２００５／０２８４８０９号のペーストは、圧縮した止血粉末粒子から調製されるものであり、そしてペーストを調製するために、ペーストを、つないだシリンジの間で、合計で少なくとも５回行き来させなければならない。
【０００９】
（特許文献３）は、凝固誘導剤（トロンビンなど）および生体適合性重合体（ゼラチンなど）を含む乾燥止血組成物を作るプロセスに関する。凝固誘導剤と生体適合性重合体を混合してペーストを形成し、このペーストを凍結乾燥させる。得られる乾燥組成物を、先に述べたとおり、希釈剤とともに、つないだ２つのシリンジの間で、合計で少なくとも２０回行き来させることにより、この組成物を再構築する。
【００１０】
（特許文献４）は、止血用途に適した、１種または複数のポリオールを含む乾燥ペースト組成物を開示し、この乾燥ペースト組成物は、水性媒体を添加すると自然に再構築を行って、すなわちどのような撹拌も必要とせずに、流動性ペーストを形成する。再構築されたペーストは、患者に直接、例えばシリンジ送達により、塗布するのに適している。
【００１１】
混合手順および操作は時間がかかるものであり、担当医は止血剤を待っている間、処置を中断（ａｂｒｕｐｔ）しなければいけなくなるが、出血に対応する手術室（ＯＲ）において、そのようなことは受け入れられない。混合はまた、止血ペーストの滅菌を損なう可能性があるとともに、止血ペーストの堅牢度に悪影響を及ぼす可能性がある。正確なペースト堅牢度は、満足のいく止血効果を得るために重要である。そのような望ましくない混合上の必要事項を省いた止血組成物を提供することができたら望ましいだろう。数秒以内に流動性ペーストを確実かつ一貫して再構築する乾燥型ペースト製品を提供することもまた望ましい。
【先行技術文献】
【特許文献】
【００１２】
【特許文献１】国際公開第０３／０５５５３１号パンフレット
【特許文献２】米国特許出願公開第２００５／０２８４８０９号明細書
【特許文献３】国際公開第２０１１／１５１４００号パンフレット
【特許文献４】国際公開第２０１３／１８５７７６号パンフレット
【特許文献５】米国特許第６，０６６，３２５号明細書
【特許文献６】国際公開第２０１３／０６０７７０号パンフレット
【特許文献７】国際公開第２０１１／０４７７５３号パンフレット
【発明の概要】
【課題を解決するための手段】
【００１３】
本開示は、上記の問題を解決するものである、すなわち、適切な量の水性媒体が添加されると、実質的に均質なペーストを形成する、乾燥組成物に関する。したがって、本発明は、乾燥組成物を調製する方法に関し、本方法は以下の工程を含む：
ａ．粉末状の作用剤および水性媒体を用意する工程、
ｂ．粉末状の作用剤および水性媒体を混合してペーストとする工程、
ｃ．ペーストを減圧に供し、それによりペーストを膨張させる工程、
ｄ．膨張したペーストを凍結させる工程、および
ｅ．ペーストを乾燥させる工程。
【００１４】
ペーストを膨張させて乾燥させたものは、液体を添加すると効率的に再構築を行う。好ましくは、ペーストは、混合または撹拌など、どのような種類の外部刺激も必要とせずに形成される。すなわち、１つの実施形態において、乾燥組成物は、液体が添加されると自然に再構築を行う、すなわちペーストを形成するのに機械混合は不要である。
【００１５】
作用剤は、好ましくは、止血および／または創傷治癒に使用するのに適した生体適合性重合体である。したがって、好適な態様において、本発明は、乾燥組成物を調製する方法に関し、本方法は以下の工程を含む：
ａ．粉末状の生体適合性重合体、水性媒体、および任意選択で１種または複数の親水性化合物（１種または複数のポリオールなど）を用意する工程、
ｂ．粉末状の生体適合性重合体、水性媒体、および任意選択の１種または複数の親水性化合物を混合してペーストとする工程、
ｃ．ペーストを減圧に供し、それによりペーストを膨張させる工程、
ｄ．膨張したペーストを凍結させる工程、および
ｅ．ペーストを乾燥させる工程。
【００１６】
本開示はさらに、ペーストを凍結乾燥させたもの（本開示の乾燥ペースト組成物など）を減圧で保持するシリンジに関し、本シリンジは、ペーストを入れるための、開口近位端および第一流体開口を有する遠位端を有する減圧槽を含む注射外筒、第二流体開口を有し、液体容器との接続に適合した連結部、ならびに連結部と減圧槽の遠位端を接続する圧力槽、圧力槽に位置する、第一の位置では第一および／または第二の流体開口を密閉し、第二の位置では第一流体開口と第二流体開口の間に流体経路を形成するように構成された圧力弁、開口近位端を通って減圧槽中で軸方向に移動するように作られているプランジャー、ならびに１つまたは複数の減圧バイパスチャンネルを有する。
【００１７】
乾燥ペーストを収容するシリンジに適切な量の水性媒体が添加されると、止血および／または創傷治癒の使用に適したすぐに使える流動性ペーストが数秒以内に自然に形成される。乾燥ペースト組成物の減圧凍結乾燥および減圧貯蔵は、本明細書中に開示されるシリンジにより提供することが可能である。そのうえさらに、水性媒体との混合、それに続く再構築、およびすぐに使えるペーストの制御された放出もまた、本明細書中に開示されるシリンジにより提供することが可能である。
【図面の簡単な説明】
【００１８】
【図１】実施例１の様々なポリオールを含むゼラチンペーストを標準凍結乾燥させたものの再構築時間の平均＋／−標準偏差であり、これらは減圧膨張させていなかった。凍結乾燥ペースト組成物に様々なポリオールが含まれることで、ペーストの自然な再構築は約３０秒以内で起こるようになった。
【図２】実施例３のゼラチンペーストを減圧膨張および凍結乾燥させてから標準凍結乾燥させたものの再構築時間の平均＋／−標準偏差。減圧膨張は、マンニトールを含むペーストの自然な再構築時間を大幅に短縮した。
【図３】本開示の方法の様々な実施形態および段階のうち、容器として用いるシリンジの２つの可能な実施形態で、ペーストが加えられる前のものを示す。概念１は、標準の使い捨てシリンジを包含し、概念２は、シリンジ本体に凍結乾燥バイパスがある使い捨てシリンジを包含する。圧力弁は閉じられている。
【図４】本開示の方法の様々な実施形態および段階のうち、ある量のペーストを入れた概念１および２のシリンジを示す。
【図５】本開示の方法の様々な実施形態および段階のうち、バイパスを有する凍結乾燥プランジャーが嵌合したシリンジ（凍結乾燥プランジャー；概念１）、またはシリンジ本体にバイパスを有し、標準プランジャーが嵌合したシリンジ（概念２）を示す。概念１および２のバイパスは両方とも、生成物槽と容器外部との気体の連通を可能にする。低真空にすることにより、ペーストの膨張がもたらされる、すなわちペーストの体積は、減圧にする前より大きくなる。
【図６】本開示の方法の様々な実施形態および段階のうち、ペーストを凍結した後の概念１および２のシリンジを示す。凍結により、膨張したペースト構造に固定される。
【図７】本開示の方法の様々な実施形態および段階のうち、減圧凍結乾燥が行われている概念１および２のシリンジを示す。凍結乾燥は、凍結したペーストの体積を変化させない。
【図８】本開示の方法の様々な実施形態および段階のうち、折り畳み式板でバイパスが閉鎖されている、概念１および２のシリンジを示す。シリンジは、生成物槽に減圧状態で乾燥ペーストを含有している。
【図９】本開示の方法の様々な実施形態および段階のうち、凍結乾燥機の減圧を解除した後の、概念１および２のシリンジを示す。生成物槽内部の減圧および生成物槽外部の大気圧は、プランジャーを、乾燥ペースト生成物と接触するまで移動させる。
【図１０】本開示の方法の様々な実施形態および段階のうち、プランジャーロッドおよびフランジを組み立てた後の、概念１および２のシリンジを示す。
【図１１】本開示の方法の様々な実施形態および段階のうち、概念１のシリンジを放射線照射により滅菌するところを示す。
【図１２】本開示の方法の様々な実施形態および段階のうち、乾燥ペーストからの再構築について２つの異なる実施形態を示す。第一の実施形態（上）において、シリンジは、滅菌したＨ２Ｏまたは生理食塩水を収容するポリ袋が嵌合している。第二の実施形態（下）において、シリンジは、滅菌したＨ２Ｏまたは生理食塩水を収容するプラスチック容器が嵌合しており、このプラスチック容器は可動式プランジャーが嵌合している。
【図１３】本開示の方法の様々な実施形態および段階のうち、弁を開けた後の、図１２の２つの実施形態を示す。弁を開けることにより、生成物槽（低圧）と液体容器（常圧）の間の圧力差から、液体が自動的に生成物槽に流れ込む。ペーストは、液体と接触することで、自然に再構築される。ペースト使用前の機械的撹拌は不要である。
【図１４】本開示の方法の様々な実施形態および段階のうち、アプリケーター型先端が嵌合したシリンジに入った、すぐに使えるペーストを示す。
【図１５】ゼラチンペーストを減圧膨張するのに用いた圧と最終乾燥ペースト組成物の密度との相関を示す：圧が低いほど、乾燥組成物の密度も低い。
【図１６ａ】本開示のシリンジの１つの実施形態による注射外筒の斜視図を示す。
【図１６ｂ】本開示のシリンジの１つの実施形態による注射外筒の斜視図を示す。
【図１６ｃ】本開示のシリンジの１つの実施形態による注射外筒の斜視図を示す。
【図１６ｄ】本開示のシリンジの１つの実施形態による注射外筒の斜視図を示す。
【図１７ａ】本開示のシリンジの注射外筒の２つの異なる実施形態の近位斜視図を示す。
【図１７ｂ】本開示のシリンジの注射外筒の２つの異なる実施形態の近位斜視図を示す。
【図１８ａ】本開示のシリンジの１つの実施形態による注射外筒の切断側面図であり、圧力弁が２つの異なる位置にある。
【図１８ｂ】本開示のシリンジの１つの実施形態による注射外筒の切断側面図であり、圧力弁が２つの異なる位置にある。
【図１９ａ】別の実施形態の圧力弁を示す。
【図１９ｂ】本開示のシリンジの圧力槽の別の実施形態を、図１９ａの圧力弁とともに示す、正面像である。
【図１９ｃ】図１９ｂの圧力槽内部の図１９ａの圧力弁の構造の切断正面像を示す。
【図１９ｄ】図１９ｂの圧力槽内部の図１９ａの圧力弁の構造の切断正面像を示す。
【図２０ａ】図１９の圧力槽内部の図１９ａの圧力弁の切断側面図である。
【図２０ｂ】図１９の圧力槽内部の図１９ａの圧力弁の切断側面図である。
【図２０ｃ】注射外筒を、図１９の圧力弁および圧力槽とともに示す、斜視図である。
【図２０ｄ】注射外筒を、図１９の圧力弁および圧力槽とともに示す、斜視図である。
【図２１】マンニトールを様々な量（湿潤ペーストでのｗｔ％）で含む乾燥ゼラチンペースト組成物の、減圧膨張した場合としなかった場合の、再構築時間の平均＋／−標準偏差を示す。減圧膨張は、乾燥ペーストからの自然再構築時間を大幅に短縮し、ペースト乾燥物のマンニトール濃度を高めることでさらにいっそう短縮される。
【図２２】ＰＥＧを含む場合（湿潤ペーストでのｗｔ％）と含まない場合の、減圧膨張して乾燥させたゼラチンペースト組成物の再構築時間の平均＋／−標準偏差を示す。ＰＥＧは、ＰＥＧを含まない組成物を減圧膨張させたものと比べて、再構築時間を短縮した。
【００１９】
図面は例示にすぎず、本発明の範囲を制限するものとは決して見なされない。
【発明を実施するための形態】
【００２０】
定義
「常圧」は、本明細書中、「大気圧」という用語と同義に用いられる。これは周囲の圧、すなわち、プロセスが行われる場所の圧である。
【００２１】
「バール」（単位）。１バールは、圧の非ＳＩ単位であり、１００，０００Ｐａに完全に等しいと定義される。１バールは、地球の海面での大気圧とほぼ等しい。
【００２２】
「生理活性作用剤」は、ｉｎ  ｖｉｖｏまたはｉｎ  ｖｉｔｒｏで実証可能なある薬理作用（たいていは有益なものである）を提供する任意の作用剤、薬物、化合物、組成物、または混合物である。すなわち、ある作用剤がヒトまたは動物の身体で細胞組織と相互作用するまたは細胞組織に影響を及ぼすならば、それは生理活性であるとみなされる。本明細書中使用される場合、この用語はさらに、個体において局所的または全身的な作用をもたらす任意の生理学的または薬理学的活性物質を含む。生理活性作用剤は、タンパク質（酵素など）であってもよい。生理活性作用剤のさらなる例として、オリゴ糖、多糖、任意選択でグリコシル化されたペプチド、任意選択でグリコシル化されたポリペプチド、オリゴヌクレオチド、ポリヌクレオチド、脂質、脂肪酸、脂肪酸エステル、および二次代謝産物それぞれを含む、またはそれぞれのみからなる作用剤が挙げられるが、それらに限定されない。生理活性作用剤は、個体（ヒトまたは他の任意の動物など）の治療に関連して、予防、治療のいずれかとして用いることができる。「生理活性作用剤」という用語は、本明細書中使用される場合、細胞（真核細胞または原核細胞など）を包含しない。
【００２３】
「生体適合性」は、ある材料が持つ、宿主にどのような望ましくない局所的作用も全身作用も実質的に及ぼすことなく、その材料の目的とする機能を発揮する能力を示す。
【００２４】
「生物学的に吸収可能な」または「再吸収可能な」は、本文脈において、そのような粉末を形成する材料が、身体内で分解されて、血流中へ輸送することができる大きさのより小さな分子になることができることを記載するのに用いる用語である。この分解および吸収により、この粉末材料は、徐々に、塗布部位から取り除かれていく。例えば、ゼラチンは、組織のタンパク質分解酵素により分解されて、吸収可能なより小さい分子となることができ、これにより、ゼラチンは、組織に塗布された場合は約４〜６週間の内に吸収され、出血面および粘膜に塗布された場合は３〜５日の内に吸収されるのが、典型的である。
【００２５】
「膨張」は、本明細書中、体積の増加および密度の低下と定義される。したがって、ある材料が膨張したと言う場合、その材料の合計体積は、その合計重量を変えることなく膨張前よりも大きくなっている。
【００２６】
「ゲル」は、固形の、ゼリー様材料であり、柔らかく弱いものから固く強いものまで幅広い性質を持つことができる。ゲルは、実質的に希薄な架橋系であると定義され、定常状態では流動性を示さない。重量で見ると、ゲルはほとんど液体であるが、それでもゲルは液体に含まれる三次元の架橋ネットワークのおかげで固体のように振る舞う。ゲルに構造（硬度）を持たせるとともに、粘性（粘着すること）の一因となっているのは流体内の架橋である。このように、ゲルは、固体が連続相となり液体が不連続相となった液体含有固体に、分子が分散したものである。ゲルは、ペーストでもスラリーでもない。例えば、架橋していないゼラチン粒子は可溶性であり、水などの水性媒体と接触するとゲルを形成することができる。ゲルは、膨張性気体または空気を含んだ孔を有さない。
【００２７】
「止血」は、出血の減少または停止を引き起こすプロセスである。止血は、血液が身体または血管の外側に存在すると起こり、出血および失血を止めるための身体の本能的な反応である。止血の間、３つの段階が短時間で立て続けに起こる。血管が収縮することで、失われる血液を減らそうとする血管攣縮が第一の反応である。第二段階では、血小板の栓が形成され、血小板は互いにくっついて、血管壁の破損を覆う一時的なシールを形成する。第三の最終段階は、凝固または凝血と呼ばれる。凝固は、血小板の栓を、「分子糊」として作用するフィブリン糸で補強する。したがって、止血化合物は、止血を刺激することができる。
【００２８】
「国際単位（ＩＵ）」。薬理学において、国際単位とは、生物活性または作用に基づき、物質の量を測定する単位である。国際単位は、ＩＵ、ＵＩ、またはＩＥと略記される。国際単位は、ビタミン、ホルモン、ある種の医薬、ワクチン、血液製剤、および同様な生物活性物質を定量するのに用いられる。
【００２９】
本開示による「ペースト」は、練り歯磨きのように、展性のあるパテ様堅牢度を有する。ペーストは、粉砕固体／粉末状固体と液体を混合した粘りのある流体混合物である。ペーストは、十分に大きな負荷または応力がかかるまでは固体のように振る舞うが、かかった時点で、流体のように流れる物質である、すなわちペーストは流動性がある。流動性があるものは、塗布した際に、でこぼこした表面に効率的に沿う。ペーストは、典型的には、母体をなす流体に顆粒状材料が含まれている懸濁液からなる。個々の粒子は、浜辺の砂のように互いに密集しあって、無秩序なガラス状または無定形構造を形成し、ペーストにそれら粒子の持つ固体様特性を与えている。ペーストの非常に珍しい性質のいくつかは、この「互いに密集している」ことでもたらされている；これにより、ペーストは脆い物質の性質を示すようになる。ペーストは、ゲル／ゼリーではない。「スラリー」は、粉末／粉砕固体と液体（通常は水）を混合した流体混合物である。スラリーは、ある意味、粘りのある流体のように振る舞い、重力に従って流れ、粘性がそれほど高くなければポンプでくみ上げることができる。スラリーは、機能的には希薄な水性ペーストと見なすことができるが、スラリーは一般に、ペーストよりも多くの水を含有する。本開示によるペーストは、膨張性気体（空気など）を含む区画である孔を有する。実質的に水不溶性の粉末粒子（架橋したゼラチン粒子など）は、水性媒体と混合するとペーストを形成する。
【００３０】
「パーセンテージ」。特に記載が無いかぎり、パーセンテージは重量パーセンテージ、％ｗ／ｗまたはｗｔ％である。
【００３１】
比は、重量対重量（ｗ：ｗ）で示される。
【００３２】
「減圧」は、大気圧より低い圧、すなわちある特定のプロセスを行う周囲の圧よりも低い圧である。
【００３３】
「自然に」。「自然に」という用語は、内在する力または原因により生じる現象を記載するのに用いられ、この現象は、外部の作用剤または刺激と無関係であり、短期間のうちに、すなわち好ましくは約３０秒たたないうちに、より好ましくは約２０秒たたないうちに、さらにより好ましくは約１０秒たたないうち、または約５秒たたないうちに、例えば約３秒たたないうちになど、例えば、約２秒たたないうちに、起こるものである。
【００３４】
「真空」は、本明細書中、気圧が常圧、すなわち周囲の大気圧よりも低い領域と定義される。地球の海面では、大気圧は、２５℃で、約１ｂａｒ、すなわち１０００ｍｂａｒである。以下の表は、地球の海面での「低」、「中」、および「高」真空におけるおおよその圧を、ミリバール（ｍｂａｒ）単位でしめす。
【００３５】
【表１】
0006390873.tif 000002
【００３６】
発明の詳細な説明
本開示は、適切な量の水性媒体が添加されると、実質的に均質なペーストを形成する、乾燥組成物に関する。
【００３７】
したがって、本発明は、乾燥組成物を調製する方法に関し、本方法は以下の順次工程を含む：
ａ．粉末状の作用剤および水性媒体を用意する工程、
ｂ．粉末状の作用剤および水性媒体を混合してペーストとする工程、
ｃ．ペーストを減圧処理し、それによりペーストを膨張させる工程、
ｄ．膨張したペーストを凍結させる工程、および
ｅ．ペーストを乾燥させる工程。
【００３８】
ペーストを膨張させて乾燥させたものは、液体が添加されると効率的に再構築を行い、流動性ペーストを形成する。好ましくは、ペーストは、外部刺激、例えばどのような種類の混合または撹拌とも無関係に形成され、したがって１つの実施形態において、乾燥組成物は、乾燥組成物を収容する容器に液体が添加されると自然に再構築を行う、すなわちペーストを形成するのに機械混合は不要である。
【００３９】
粉末状の作用剤は、水性媒体と混合したときにペーストを形成することができる粉末状の作用剤であれば何でもよい。作用剤は、架橋していてもよい。好ましくは、作用剤は、止血および／または創傷治癒に使用するのに適した生体適合性重合体、例えば粉末状の架橋した止血剤（例えば、架橋したゼラチン粉末など）である。
【００４０】
乾燥は、好ましくは凍結乾燥である。工程ｃ）〜ｄ）は、都合のよいことに、１つの連続プロセスとして、凍結乾燥機で直接行うことができる。したがって、工程ｂ）のペーストを収容する適切な容器を、凍結乾燥機に入れ、その中で、ペーストを低真空により膨張させ、凍結して膨張したペースト構造を固定させ、乾燥するまで凍結乾燥を行うことができる。図３〜図１４は、このプロセスの工程の様々な実施形態を示す。
【００４１】
好適な態様において、本発明は、止血および／または創傷治癒に使用するのに適した乾燥組成物を調製する方法に関し、本方法は以下の順次工程を含む：
ａ．粉末状の生体適合性重合体、水性媒体、および任意選択で１種または複数の親水性化合物を用意する工程、
ｂ．生体適合性重合体、水性媒体、および任意選択の１種または複数の親水性化合物を混合してペーストとする工程、
ｃ．ペーストを減圧処理し、それによりペーストを膨張させる工程、
ｄ．膨張したペーストを凍結させる工程、および
ｅ．ペーストを乾燥させる工程。
【００４２】
乾燥ペーストは、好ましくは、医療用送達デバイス（シリンジなど）に入れられている。乾燥ペーストを収容する容器に適切な量の水性媒体が添加されると、すぐに使える流動性ペーストが数秒以内に自然に形成される、すなわち、このペーストを形成するのに機械混合は不要である。流動性ペーストは、実質的に均質であり、止血および／または創傷治癒を必要とする部位に直接塗布することができる。
【００４３】
本開示の方法により得られる、乾燥組成物および再構築されたペーストの利点は多数あるが、以下を挙げることができる：
・ペーストを調製するのにかかる時間が短くなり、例えば出血をより早く止めることができる。
・作業工程が少なくなるので、調製中にペーストの滅菌が損なわれる危険性が低下する。
・ペースト調製が単純になるので、調製中に間違いを起こす危険性が低下する。
・最適な堅牢度のペーストが毎回得られる。
・短時間での確実で一貫した再構築である
・溶液中では不安定な生理活性作用剤を乾燥前のペーストに添加することができ、したがって、そのような作用剤を本発明の乾燥組成物中に存在させることができる。例えば、トロンビンを乾燥前のペーストに添加することができ、そうすることで、時間がかかり間違いを起こしやすいトロンビン希釈工程を回避することができる。
・本明細書に開示される生成物の調製は非常に簡単で速いので、使用されない可能性のある流動性止血材を予め用意する理由がなくなり、手術室でかかる費用が最小限になる。
【００４４】
上記の要因は全て、患者の安全性の向上をもたらす。
【００４５】
粉末状の作用剤
粉末状の作用剤は、水性媒体と混合したときにペーストを形成することができる作用剤であれば何でもよい。粉末粒子が水不溶性である場合、すなわち粉末粒子が、それらと混合される水性媒体に実質的に不溶性である場合、ペーストが形成される。したがって、粉末状の作用剤は、実質的に水不溶性の粉末粒子からなる。好ましくは、作用剤は、止血および／または創傷治癒に使用するのに適した架橋生体適合性重合体、例えば粉末状の架橋止血剤（例えば、架橋ゼラチン粉末など）である。架橋により、生体適合性重合体は、水性媒体に、実質的に不溶性になる。
【００４６】
１つの実施形態において、本開示のペーストは、１種または複数の粉末状の作用剤、例えば１種類の生体適合性重合体または２種以上の生体適合性重合体の組み合わせを含む。
【００４７】
好適な実施形態において、本開示は、乾燥ペースト組成物である乾燥組成物を調製する方法に関し、この乾燥組成物は、組成物を収容する容器に適切な量の水性媒体が添加されると、数秒以内に自然に再構築を行って、止血および／または創傷治癒目的に適切なすぐに使えるペーストを形成する、すなわちこの乾燥組成物は、さらなる撹拌をまったく必要とせずに、患者に直接送達することができる。
【００４８】
本開示の生体適合性重合体は、生物学的重合体であっても非生物学的重合体であってもよい。適切な生物学的重合体として、タンパク質、例えばゼラチン、コラーゲン、アルブミン、ヘモグロビン、カゼイン、フィブリノーゲン、フィブリン、フィブロネクチン、エラスチン、ケラチン、およびラミニン；あるいはそれらの誘導体または組み合わせが挙げられる。特に好適であるのは、ゼラチンまたはコラーゲン、より好ましくはゼラチンの使用である。他にも適した生物学的重合体として、多糖類、例えばグリコサミノグリカン、デンプン誘導体、キシラン、セルロース誘導体、ヘミセルロース誘導体、アガロース、アルギン酸化合物、およびキトサン；あるいはそれらの誘導体または組み合わせが挙げられる。適切な非生物学的重合体は、２つの機構、すなわち（１）重合体主鎖の解体または（２）水溶性をもたらす、側鎖の分解、のいずれかにより分解可能であるように選択されるだろう。非生物学的重合体の例として、合成物、例えばポリアクリラート、ポリメタクリラート、ポリアクリルアミド、ポリビニル樹脂、ポリラクチド・グリコリド、ポリカプロラクトン、およびポリオキシエチレン；あるいはそれらの誘導体または組み合わせが挙げられる。異なる種類の重合体の組み合わせも可能である。
【００４９】
１つの実施形態において、生体適合性重合体は、生物学的に吸収可能である。適切な生物学的に吸収可能な材料の例として、ゼラチン、コラーゲン、キチン、キトサン、アルギン酸化合物、セルロース、酸化セルロース、ポリグリコール酸、ポリ酢酸、およびそれらの組み合わせが挙げられる。当然ながら、それらの様々な形、例えば直鎖または架橋した形、塩、エステルなどの形も、本開示では考慮に入れている。本発明の好適な実施形態において、生物学的に吸収可能な材料はゼラチンである。ゼラチンは、生物学的吸収性が高いので、ゼラチンが好適である。そのうえさらに、ゼラチンは、生体適合性が高く、これは、血流に入った場合または動物（ヒトなど）の組織と長期間接触した場合に、ヒトなどに対し無毒であることを意味する。
【００５０】
ゼラチンは、典型的には、ブタ原料に由来するが、他の動物原料（ウシまたは魚原料など）に由来するものでもよい。ゼラチンは、合成されたもの、すなわち遺伝子組換え手段により作られたものでもよい。
【００５１】
好適な実施形態において、重合体は架橋している。架橋により、通常、重合体は、水性媒体に実質的に不溶性になる。当業者に既知の任意の適切な架橋法を用いることができ、そのような架橋法として化学的架橋法および物理的架橋法の両方が挙げられる。
【００５２】
本開示の１つの実施形態において、重合体は、乾燥加熱などの物理的手段により、架橋されている。乾燥加熱処理は、通常、１００℃〜２５０℃、例えば約１１０℃〜約２００℃などの温度で行われる。詳細には、この温度は、１１０〜１６０℃の範囲、例えば、１１０〜１４０℃の範囲、または１２０〜１８０℃の範囲、または１３０〜１７０℃の範囲、または１３０〜１６０℃の範囲、または１２０〜１５０℃の範囲が可能である。架橋を行う時間の長さは、当業者により最適化することができ、通常は、約１０分間〜約１２時間、例えば約１時間〜約１０時間など、例えば、約２時間〜約１０時間、例えば約４時間〜約８時間など、例えば、約５時間〜約７時間、例えば約６時間などの長さである。
【００５３】
別の実施形態において、重合体は、化学的手段により、すなわち化学架橋剤に接触させることにより、架橋されている。適切な化学架橋剤の例として、アルデヒド（詳細にはグルタルアルデヒドおよびホルムアルデヒド）、アシルアジド（ａｚiｄｅ）、カルボジイミド（ｃａｂｏｉｉｍｉｄｅｓ）、ジイソシアン酸ヘキサメチレン、ポリエーテルオキシド、１，４−ブタンジオールジグリシジルエーテル、タンニン酸、アルドース糖（例えばＤ−フルクトース）、ゲニピン、および色素を利用した光酸化が挙げられるが、これらに限定されない。具体的な化合物として、１−（３−ジメチルアミノプロピル）−３−エチルカルボジイミド塩酸塩（ＥＤＣ）、ジチオビス（プロパン酸ジヒドラジド）（ＤＴＰ）、１−エチル−３−（３−ジメチルアミノプロピル）−カルボジイミド（ＥＤＡＣ）が挙げられるが、これらに限定されない。
【００５４】
好適な実施形態において、生体適合性重合体は、ゼラチンまたはコラーゲンが架橋したスポンジ、詳細にはゼラチンが架橋したスポンジ（市販のスポンゴスタン（登録商標）スポンジおよびＳｕｒｇｉｆｏａｍ（登録商標）スポンジなど）から得ることができる。架橋したスポンジを、当該分野で既知の方法（高性能ミキサーでの回転床、押出、顆粒化、および処理、または粉砕（例えば、ハンマーミルまたは遠心ミルの使用による）など）により微粒子化して、粉末状の架橋生体適合性重合体を得る。
【００５５】
Ｅｔｈｉｃｏｎ製のスポンゴスタン（登録商標）／Ｓｕｒｇｉｆｏａｍ（登録商標）は、ゼラチン系の架橋した吸収性止血スポンジである。このスポンジは、＞３５ｇの血液／ｇを吸収し、４〜６週間の内に、ヒトの体内に完全に吸収される。
【００５６】
１つの実施形態において、粉末状の作用剤は、微粒子化した多孔質ゼラチンスポンジ（これは乾燥熱処理により架橋されている）から得られる架橋ゼラチン粒子を含むか、またはそれのみからなる。
【００５７】
微粒子化した多孔質ゼラチンスポンジは、不連続気相を含む発泡体を作る目的で、ある量の溶解性ゼラチンと水性媒体を混合し、この発泡体を乾燥させ、乾燥させた発泡体を熱乾燥に曝すことにより架橋させることで、調製することができる。得られる架橋スポンジは、当該分野で既知の方法により微粒子化することができる。ゼラチン発泡体は、通常、ゼラチン濃度が約１重量％〜７０重量％、通常は３重量％〜２０重量％ある。乾燥は、通常、約２０℃〜約４０℃で、約５〜２０時間行われる。乾燥した発泡体は、通常、約１１０℃〜約２００℃の温度に約１５分間〜約８時間、例えば約１５０℃〜約１７０℃に約５〜７時間などで、曝すことで架橋させる。
【００５８】
別の実施形態において、粉末状の作用剤は、ゼラチンヒドロゲルから得られる架橋したゼラチン粒子を含むか、またはそれのみからなる。ゼラチンヒドロゲルは、ある量のゼラチンを水性緩衝液に溶解させて非架橋ヒドロゲルを形成させることにより調製することができ、このヒドロゲルは、典型的には、１重量％〜７０重量％、通常は３重量％〜１０重量％の固形分を有する。ゼラチンを、例えば、グルタルアルデヒド（例えば０．０１％〜０．０５％ｗ／ｗ、水性緩衝液中、０℃〜１５℃で一晩）、過ヨウ素酸ナトリウム（例えば０．０５Ｍ、４８時間０℃〜１５℃に維持）、または１−エチル−３−（３−ジメチルアミノプロピル）カルボジイミド（「ＥＤＣ」）（例えば、０．５％〜１．５％ｗ／ｗ、室温で一晩）いずれかと接触させることにより、あるいは、約０．３〜３メガラドのガンマ線または電子線照射に曝すことにより、架橋させる。得られる架橋したヒドロゲルを、分割して乾燥させることにより、ゼラチン粉末を得ることができる。あるいは、ゼラチン粒子を、アルコール（好ましくはメチルアルコールまたはエチルアルコール）に、１重量％〜７０重量％、通常は３重量％〜１０重量％の固形分で懸濁させ、架橋剤、典型的にはグルタルアルデヒド（例えば、０．０１％〜０．１％ｗ／ｗ、室温で一晩）に接触させることにより、架橋させることができる。グルタルアルデヒドで架橋させる場合、架橋は、シッフ塩基を介して形成され、この架橋は、続いて行われる還元、例えば水素化ホウ素ナトリウムでの処理により安定化させることができる。架橋後、得られる顆粒を水に入れて洗い、必要に応じてアルコールに入れてすすぎ、乾燥させてゼラチン粉末を得る。１つの実施形態において、架橋したゼラチン粒子は、本質的に（特許文献５）に記載されるとおりに調製される。
【００５９】
架橋した粉末粒子は、１つの実施形態において、大きさが約１０００ミクロン未満、すなわち、１×１ｍｍのふるいを通過できるようになっている。
【００６０】
一般に、粉末粒子の少なくとも９０％は１μｍ〜１２００μｍの直径を有する。
【００６１】
１つの実施形態において、平均粒子径は、１μｍ〜１０００μｍ、例えば１０μｍ〜８００μｍなど、例えば、５０μｍ〜６００μｍ、例えば１００μｍ〜５００μｍなど、例えば、２００μｍ〜４００μｍ、例えば約３００μｍなどである。
【００６２】
用途によっては、粒子径が小さくなるほど、より滑らかなペーストを得ることができるので望ましい。したがって、１つの実施形態において、平均粒子径は、１００μｍ未満、例えば５０μｍ未満など、例えば、３０μｍ未満、例えば２０μｍ未満など、例えば、１０μｍ未満である。ペーストが滑らかであるほど望ましい用途の一例は、骨出血の抑制である。
【００６３】
ある特定の粒径分布を持つ粒子は、粉末組成物を、１つまたは複数のある特定のメッシュサイズの篩に通して、ある特定のメッシュサイズを通過するおよび／またはある特定のメッシュサイズに保持される粉末を集めることにより得ることができる。例えば、粒径分布が約２００μｍ〜１０００μｍである粉末粒子は、１×１ｍｍ篩を通過することができるが、０．２×０．２ｍｍ篩に保持される粉末を集めることにより、得ることができる。
【００６４】
１つの実施形態において、粉末状の作用剤と水性媒体を混合して得られるペーストは、約１０％〜約６０％の生体適合性重合体を、例えば、約１０％〜約５０％の生体適合性重合体、例えば約１０％〜約４０％の生体適合性重合体など、例えば、約１０％〜約３０％の生体適合性重合体、例えば約１２％〜約２５％の生体適合性重合体など、例えば、約１４％〜約２５％の生体適合性重合体、例えば約１５％〜約２５％の生体適合性重合体など、例えば、約１６％〜約２０％の生体適合性重合体、例えば約１７％〜約２０％の生体適合性重合体など、例えば、約１８％〜約２０％の生体適合性重合体を含む。
【００６５】
１つの実施形態において、本開示のペーストは、１０％超の生体適合性重合体、例えば１５％超の生体適合性重合体など、例えば、１６％超の生体適合性重合体、例えば１７％超の生体適合性重合体など、例えば、１８％超の生体適合性重合体、例えば１９％超の生体適合性重合体など、例えば、２０％超の生体適合性重合体を含む。
【００６６】
１つの実施形態において、本開示のペーストは、４０％未満の生体適合性重合体、例えば３０％未満の生体適合性重合体など、例えば、２５％未満の生体適合性重合体、例えば２０％未満の生体適合性重合体などを含む。
【００６７】
好適な実施形態において、本開示のペーストは、約１０％〜約３０％の生体適合性重合体、より好ましくは約１５％〜約２５％の生体適合性重合体、例えば約２０％の生体適合性重合体など含む。
【００６８】
乾燥後、組成物は、約４０％〜８０％の生体適合性重合体、例えば約４５％〜８０％の生体適合性重合体など、例えば約５０％〜８０％の生体適合性重合体、例えば約５５％〜８０％の生体適合性重合体などを含む。
【００６９】
１つの実施形態において、組成物は、乾燥後、約４０％〜８０％の生体適合性重合体、例えば約４５％〜７５％の生体適合性重合体など、例えば約５０％〜７０％の生体適合性重合体を含む。
【００７０】
１つの実施形態において、本開示の乾燥組成物は、約３０％超の生体適合性重合体、例えば約４０％超の生体適合性重合体など、例えば、約４５％超の生体適合性重合体、例えば約５０％超の生体適合性重合体など、例えば、約５５％超の生体適合性重合体、例えば約６０％超の生体適合性重合体など、例えば、約６５％超の生体適合性重合体、例えば約７０％超の生体適合性重合体など、例えば、約７５％超の生体適合性重合体、例えば約８０％超の生体適合性重合体などを含む。
【００７１】
１つの実施形態において、本開示の乾燥組成物は、約８０％未満の生体適合性重合体、例えば約７０％未満の生体適合性重合体など、例えば、約６５％未満の生体適合性重合体、例えば約６０％未満の生体適合性重合体など、例えば、約５５％未満の生体適合性重合体、例えば約５０％未満の生体適合性重合体などを含む。
【００７２】
水性媒体
水性媒体は、本開示の方法において、最初にペーストを調製するために用いられ、ペーストは続いて減圧膨張および乾燥させられるが、このペースト乾燥物から再構築を行うためにも用いられる。
【００７３】
本開示の水性媒体は、当業者に既知のペーストを調製するのに適していればどんな水性媒体でもよく、例えば水、生理食塩水、または緩衝化水性媒体が可能である。水は、ＷＦＩ（輸液用水）であってもよい。ヒトまたは動物を対象として用いる予定（例えば、止血および／または創傷治癒目的など）の場合には再構築されたペースト生成物が等張性になるように、水性媒体を選択することが重要である。水性媒体は、好ましくは滅菌されている。
【００７４】
本開示の水性媒体は、１つの実施形態において、生理食塩水である。
【００７５】
１つの実施形態において、水性媒体は、塩化カルシウム溶液である。
【００７６】
他の実施形態において、水性媒体は水である。
【００７７】
水性媒体は、止血ペーストに用いるのに適した緩衝化水性媒体であってもよい。当業者に既知の任意の適切な緩衝剤、例えば以下からなる群より選択される１種または複数の緩衝剤を用いることができる：クエン酸ナトリウム；クエン酸、クエン酸ナトリウム；酢酸、酢酸ナトリウム；Ｋ２ＨＰＯ４、ＫＨ２ＰＯ４；Ｎａ２ＨＰＯ４、ＮａＨ２ＰＯ４；ＣＨＥＳ；ホウ砂、水酸化ナトリウム；ＴＡＰＳ；ビシン；トリス；トリシン；ＴＡＰＳＯ；ＨＥＰＥＳ；ＴＥＳ；ＭＯＰＳ；ＰＩＰＥＳ；カコジル酸塩；ＳＳＣ；ＭＥＳ、または他のもの。緩衝化水性媒体のｐＨは、ヒト用止血ペーストを作るのに適していなければならず、当業者が決めることができる。
【００７８】
水性媒体は、湿潤ペーストを得るのに十分な量で、粉末状の作用剤と混合する。作業の効率化のため、乾燥前のペーストは、場合によっては使用時（例えば手術用途など）のペーストよりも含水量が少ない、すなわちより濃厚であることが、望ましいこともある。そうすれば乾燥プロセスにおいて除去しなければならない水がより少なくなる。
【００７９】
乾燥ペーストから再構築を行う場合、水性媒体の量は、適切な堅牢度のペーストが形成されるように、生体適合性重合体の量に合わせて調整される。
【００８０】
１つの実施形態において、本開示のペーストは、乾燥前、含水量が９９％未満、好ましくは含水量が９５％未満である。
【００８１】
１つの実施形態において、本開示のペーストは、乾燥前、含水量が約５０％〜約９０％、例えば含水量が約５５％〜約８５％など、例えば、含水量が約６０％〜約８０％、例えば含水量が約７０％などである。
【００８２】
乾燥後、乾燥組成物は、約５％未満の水、例えば約３％未満の水など、好ましくは約２％未満の水、より好ましくは約１．５％未満の水、さらにより好ましくは約１％未満の水、さらにはそれ未満の水を含む。したがって、１つの実施形態において、乾燥組成物は、約０．１〜約５％の水、例えば約０．１％〜約２％の水などを含む。
【００８３】
乾燥後の止血組成物の残留含水量が低いことは、乾燥組成物で微生物が増殖する危険性を低下させるので望ましい。そのうえさらに、水性条件下では不安定な生理活性作用剤（例えばトロンビンなど）を組成物が含む場合には、残留含水量が低いことは、必須である。トロンビンが本開示の組成物中に存在する場合、乾燥組成物の残留含水量は、好ましくは水約３％未満、より好ましくは水約２％未満、例えば水１％未満などである。
【００８４】
１つの実施形態において、乾燥組成物の残留含水量は、約０．５％以下である。そのように低い残留含水量は、例えば工業用凍結乾燥装置を用いることで可能である。
【００８５】
親水性化合物
１つの実施形態において、本開示のペーストは、１種または複数の親水性化合物を含む。親水性化合物は、通常、極性または電荷を帯びた官能基を有し、この基が化合物を水溶性にしている。ペーストが、膨張および乾燥させられる前に、１種または複数の親水性化合物を含んでいることは、ペーストの濡れ性に有益な効果をもたらし、したがって、ペースト乾燥物からの再構築効率を向上させる。
【００８６】
１つの実施形態において、親水性化合物は、親水性重合体である。親水性重合体は、天然物でも合成物でもよいし、直鎖でも分岐鎖でもよいし、任意の適切な長さを有することができる。乾燥組成物に親水性化合物が含まれることで、自然再構築速度が向上する。
【００８７】
１つの実施形態において、親水性重合体は、ポリエチレンイミン（ＰＥＩ）、ポリ（エチレングリコール）（ＰＥＧ）、ポリ（エチレンオキシド）、ポリ（ビニルアルコール）（ＰＶＡ）、ポリ（スチレンスルホナート）（ＰＳＳ）、ポリ（アクリル酸）（ＰＡＡ）、ポリ（アリルアミン塩酸塩）、およびポリ（ビニル酸）からなる群より選択される。１つの実施形態において、親水性化合物はＰＥＧである。
【００８８】
１つの実施形態において、親水性化合物は、塩化セチルピリジニウム、ドクサートナトリウム、グリシン、ヒプロメロース、フタル酸ヒプロメロース、レシチン（Ｌｅｃｈｉｔｉｎ）、リン脂質、ポロキサマー、ポリオキシエチレンアルキルエーテル、ポリオキシエチレンヒマシ油誘導体、ポリオキシエチレンソルビタン脂肪酸エステル、ステアリン酸ポリオキシエチレン、ポリビニルアルコール、ラウリル硫酸ナトリウム、ソルビタンエステル（ソルビタン脂肪酸エステル）、およびトリカプリリンからなる群より選択される。
【００８９】
好適な実施形態において、親水性化合物はポリオールである。したがって、本発明の１つの実施形態に従って、１種または複数のポリオールを、ペーストを膨張および乾燥させる前に、ペーストに含ませることができる。ポリオールは、乾燥ペースト組成物の再構築速度を大きく向上させるとともに、再構築されたペーストが確実に最適な堅牢度を持つのに役割を果たす。
【００９０】
本明細書中で定義されるとおりのポリオールとは、複数のヒドロキシル官能基を有する化合物である。ポリオールとして、糖類（単糖類、二糖類、および多糖類）および糖アルコールならびにそれらの誘導体が挙げられる。
【００９１】
単糖類として、グルコース、フルクトース、ガラクトース、キシロース、およびリボースが挙げられるが、これらに限定されない。
【００９２】
二糖類として、スクロース（ショ糖）、ラクツロース、ラクトース、マルトース、トレハロース、およびセロビオースが挙げられるが、これらに限定されない。
【００９３】
多糖類として、デンプン、グリコーゲン、セルロース、およびキチンが挙げられるが、これらに限定されない。
【００９４】
糖アルコールは、ポリアルコールとしても知られているが、炭水化物が水素化されたものであり、炭水化物のカルボニル基（アルデヒドまたはケトン、還元糖）が還元されて第一級または第二級ヒドロキシル基になっている（すなわちアルコールである）。糖アルコールが一般式Ｈ（ＨＣＨＯ）ｎ＋１Ｈを有するのに対し、糖類は、Ｈ（ＨＣＨＯ）ｎＨＣＯを有する。本開示の方法に用いることができるいくつかの一般的な糖アルコールとして、以下が挙げられるが、これらに限定されない：グリコール（２炭素）、グリセロール（３炭素）、エリスリトール（４炭素）、トレイトール（４炭素）、アラビトール（５炭素）、キシリトール（５炭素）、リビトール（５炭素）、マンニトール（６炭素）、ソルビトール（６炭素）、ズルシトール（６炭素）、フシトール（６炭素）、イジトール（６炭素）、イノシトール（６炭素；環状糖アルコール）、ボレミトール（７炭素）、イソマルト（１２炭素）、マルチトール（１２炭素）、ラクチトール（１２炭素）、ポリグリシトール。
【００９５】
１つの実施形態において、乾燥組成物は、単一種の親水性化合物、例えば単一種のポリオールを含む。
【００９６】
本発明の１つの実施形態において、乾燥組成物は、１種より多い親水性化合物、例えば２種、３種、４種、５種、６種、またはそれより多種の異なる親水性化合物を含む。
【００９７】
好適な実施形態において、親水性化合物は、ポリオールである。
【００９８】
本発明の１つの実施形態において、乾燥組成物は、２種のポリオール、例えば、マンニトールとグリセロール、またはトレハロースとグリコールを含む。
【００９９】
本発明の１つの実施形態において、乾燥組成物は、１種または複数の糖アルコール、例えば以下からなる群より選択される１種または複数の糖アルコールを含む：グリコール、グリセロール、エリスリトール、トレイトール、アラビトール、キシリトール、リビトール、マンニトール、ソルビトール、ズルシトール、フシトール、イジトール、イノシトール、ボレミトール、イソマルト、マルチトール、ラクチトール、およびポリグリシトール。
【０１００】
１つの実施形態において、乾燥組成物は、１種または複数の糖アルコールおよび１種または複数の糖類、例えば１種の糖アルコールおよび１種の糖などを含む。
【０１０１】
１つの実施形態において、乾燥組成物は、１種の糖アルコールおよび任意選択で１種または複数の追加の親水性化合物、例えば１種または複数のポリオールを含み、追加の親水性化合物は糖アルコールでも糖でもよい。
【０１０２】
１つの実施形態において、乾燥組成物は唯一のポリオールとして糖を含むことはない。
【０１０３】
本発明の１つの実施形態において、乾燥組成物はマンニトールを含む。
【０１０４】
本発明の１つの実施形態において、乾燥組成物はソルビトールを含む。
【０１０５】
本発明の１つの実施形態において、乾燥組成物はグリセロールを含む。
【０１０６】
本発明の１つの実施形態において、乾燥組成物はトレハロースを含む。
【０１０７】
本発明の１つの実施形態において、乾燥組成物はグリコール（プロピレングリコールなど）を含む。
【０１０８】
本発明の１つの実施形態において、乾燥組成物はキシリトールを含む。
【０１０９】
本発明の１つの実施形態において、乾燥組成物はマルチトールを含む。
【０１１０】
本発明の１つの実施形態において、乾燥組成物はソルビトールを含む。
【０１１１】
１つの実施形態において、本発明によるペーストは、乾燥前、約１％〜約４０％の１種または複数の親水性化合物、例えば、約１％〜約３０％の１種または複数の親水性化合物、例えば約１％〜約２５％の１種または複数の親水性化合物など、例えば、約１％〜約２０％の１種または複数の親水性化合物、例えば約１％〜約１５％の１種または複数の親水性化合物など、例えば約１％〜約１４％の１種または複数の親水性化合物など、例えば、約１％〜約１３％の１種または複数の親水性化合物、例えば約１％〜約１２％の１種または複数の親水性化合物など、例えば、約１％〜約１１％の１種または複数の親水性化合物、例えば約１％〜約１０％の１種または複数の親水性化合物などを含む。
【０１１２】
１つの実施形態において、本発明によるペーストは、乾燥前、約２％〜約４０％の１種または複数の親水性化合物、例えば、約２％〜約３０％の１種または複数の親水性化合物、例えば約２％〜約２５％の１種または複数の親水性化合物など、例えば、約２％〜約２０％の１種または複数の親水性化合物、例えば約２％〜約１８％の１種または複数の親水性化合物など、例えば、約２％〜約１７％の１種または複数の親水性化合物、例えば約２％〜約１６％の１種または複数の親水性化合物など、例えば、約２％〜約１５％の１種または複数の親水性化合物、例えば約２％〜約１４％の１種または複数の親水性化合物など、例えば、約２％〜約１３％の１種または複数の親水性化合物、例えば約２％〜約１２％の１種または複数の親水性化合物など、例えば、約２％〜約１１％の１種または複数の親水性化合物、例えば約２％〜約１０％の１種または複数の親水性化合物などを含む。
【０１１３】
１つの実施形態において、本発明によるペーストは、乾燥前に、約３％〜約４０％の１種または複数のポリオール、例えば約３％〜約３０％の１種または複数のポリオール、例えば約３％〜約２５％の１種または複数のポリオールなど、例えば約３％〜約２０％の１種または複数のポリオール、例えば約３％〜約１８％の１種または複数のポリオールなど、例えば約３％〜約１７％の１種または複数のポリオール、例えば約３％〜約１６％の１種または複数のポリオールなど、例えば約３％〜約１５％の１種または複数のポリオール、例えば約３％〜約１４％の１種または複数のポリオールなど、例えば約３％〜約１３％の１種または複数のポリオール、例えば約３％〜約１２％の１種または複数のポリオールなど、例えば約３％〜約１１％の１種または複数のポリオール、例えば約３％〜約１０％の１種または複数のポリオールなどを含む。
【０１１４】
１つの実施形態において、本発明によるペーストは、乾燥前、約４％〜約４０％の１種または複数のポリオール、例えば、約４％〜約３０％の１種または複数のポリオール、例えば約４％〜約２５％の１種または複数のポリオールなど、例えば、約４％〜約２０％の１種または複数のポリオール、例えば約４％〜約１８％の１種または複数のポリオールなど、例えば、約４％〜約１７％の１種または複数のポリオール、例えば約４％〜約１６％の１種または複数のポリオールなど、例えば、約４％〜約１５％の１種または複数のポリオール、例えば約４％〜約１４％の１種または複数のポリオールなど、例えば、約４％〜約１３％の１種または複数のポリオール、例えば約４％〜約１２％の１種または複数のポリオールなど、例えば、約４％〜約１１％の１種または複数のポリオール、例えば約４％〜約１０％の１種または複数のポリオールなどを含む。
【０１１５】
１つの実施形態において、本発明によるペーストは、乾燥前、約５％超の１種または複数の親水性化合物を含み、したがって、１つの実施形態において、本発明によるペーストは、乾燥前、約５％〜約４０％の１種または複数の親水性化合物、例えば、約５％〜約３０％の１種または複数の親水性化合物、例えば約５％〜約２５％の１種または複数の親水性化合物など、例えば、約５％〜約２０％の１種または複数の親水性化合物、例えば約５％〜約１８％の１種または複数の親水性化合物など、例えば、約５％〜約１７％の１種または複数の親水性化合物、例えば約５％〜約１６％の１種または複数の親水性化合物など、例えば、約５％〜約１５％の１種または複数の親水性化合物、例えば約５％〜約１４％の１種または複数の親水性化合物など、例えば、約５％〜約１３％の１種または複数の親水性化合物、例えば約５％〜約１２％の１種または複数の親水性化合物など、例えば、約５％〜約１１％の１種または複数の親水性化合物、例えば約５％〜約１０％の１種または複数の親水性化合物などを含む。
【０１１６】
１つの実施形態において、本発明によるペーストは、乾燥前、約６％〜約４０％の１種または複数の親水性化合物、例えば、約６％〜約３０％の１種または複数の親水性化合物、例えば約６％〜約２５％の１種または複数の親水性化合物など、例えば、約６％〜約２０％の１種または複数の親水性化合物、例えば約６％〜約１８％の１種または複数の親水性化合物など、例えば、約６％〜約１７％の１種または複数の親水性化合物、例えば約６％〜約１６％の１種または複数の親水性化合物など、例えば、約６％〜約１５％の１種または複数の親水性化合物、例えば約６％〜約１４％の１種または複数の親水性化合物など、例えば、約６％〜約１３％の１種または複数の親水性化合物、例えば約６％〜約１２％の１種または複数の親水性化合物など、例えば、約６％〜約１１％の１種または複数の親水性化合物、例えば約６％〜約１０％の１種または複数の親水性化合物などを含む。
【０１１７】
１つの実施形態において、本発明によるペーストは、乾燥前、約１０％〜約４０％の１種または複数の親水性化合物、例えば、約１０％〜約３０％の１種または複数の親水性化合物、例えば約１０％〜約２５％の１種または複数の親水性化合物など、例えば、約１０％〜約２０％の１種または複数の親水性化合物、例えば約１０％〜約１８％の１種または複数の親水性化合物など、例えば、約１０％〜約１７％の１種または複数の親水性化合物、例えば約１０％〜約１６％の１種または複数の親水性化合物など、例えば、約１０％〜約１５％の１種または複数の親水性化合物を含む。
【０１１８】
１つの実施形態において、本発明によるペーストは、乾燥前、約１％超の１種または複数の親水性化合物、例えば約２％超の１種または複数の親水性化合物など、例えば、約３％超の１種または複数の親水性化合物、例えば約４％超の１種または複数の親水性化合物など、例えば、約５％超の１種または複数の親水性化合物、例えば約６％超の１種または複数の親水性化合物など、例えば、約７％超の１種または複数の親水性化合物、例えば約８％超の１種または複数の親水性化合物など、例えば、約９％超の１種または複数の親水性化合物、例えば約１０％超の１種または複数の親水性化合物などを含む。
【０１１９】
１つの実施形態において、本発明によるペーストは、乾燥前、約２０％未満の１種または複数の親水性化合物、例えば約１８％未満の１種または複数の親水性化合物など、例えば、約１７％未満の１種または複数の親水性化合物、例えば約１６％未満の１種または複数の親水性化合物など、例えば、約１５％未満の１種または複数の親水性化合物、例えば約１４％未満の１種または複数の親水性化合物など、例えば、約１３％未満の１種または複数の親水性化合物、例えば約１２％未満の１種または複数の親水性化合物など、例えば、約１１％未満の１種または複数の親水性化合物、例えば約１０％未満の１種または複数の親水性化合物などを含む。
【０１２０】
乾燥後、乾燥組成物は、約１０％〜約６０％の１種または複数の親水性化合物、例えば約１０％〜約５０％の１種または複数の親水性化合物など、例えば、約１０％〜約５０％、例えば約１０％〜約４５％の１種または複数の親水性化合物など、例えば、約１０％〜約４０％、例えば約１０％〜約３５％の１種または複数の親水性化合物など、例えば、約１０％〜約３０％の１種または複数の親水性化合物を含む。
【０１２１】
１つの実施形態において、乾燥組成物は、約１５％〜約６０％の１種または複数の親水性化合物、例えば約１５％〜約５０％の１種または複数の親水性化合物など、例えば、約１５％〜約５０％、例えば約１５％〜約４５％の１種または複数の親水性化合物など、例えば、約１５％〜約４０％、例えば約１５％〜約３５％の１種または複数の親水性化合物など、例えば、約１５％〜約３０％の１種または複数の親水性化合物を含む。
【０１２２】
１つの実施形態において、乾燥組成物は、約２０％〜約６０％の１種または複数の親水性化合物、例えば約２０％〜約５０％の１種または複数の親水性化合物など、例えば、約２０％〜約５０％、例えば約２０％〜約４５％の１種または複数の親水性化合物など、例えば、約２０％〜約４０％、例えば約２０％〜約３０％の１種または複数の親水性化合物などを含む。
【０１２３】
１つの実施形態において、乾燥組成物は、約２５％〜約６０％の１種または複数の親水性化合物、例えば約２５％〜約５０％の１種または複数の親水性化合物など、例えば、約２５％〜約４５％の１種または複数の親水性化合物、例えば約２５％〜約４０％の１種または複数の親水性化合物など、例えば、約２５％〜約３５％の１種または複数の親水性化合物、例えば約２５％〜約３０％の１種または複数の親水性化合物などを含む。
【０１２４】
１つの実施形態において、乾燥組成物は、約２７％〜約６０％の１種または複数の親水性化合物、例えば約２７％〜約５０％の１種または複数の親水性化合物など、例えば、約２７％〜約４５％の１種または複数の親水性化合物、例えば約２７％〜約４０％の１種または複数の親水性化合物など、例えば、約２７％〜約３５％の１種または複数の親水性化合物、例えば約２７％〜約３０％の１種または複数の親水性化合物などを含む。
【０１２５】
１つの実施形態において、乾燥組成物は、約３０％〜約６０％の１種または複数の親水性化合物、例えば約３０％〜約５０％の１種または複数の親水性化合物など、例えば、約３０％〜約４５％の１種または複数の親水性化合物、例えば約３０％〜約４０％の１種または複数の親水性化合物など、例えば、約３０％〜約３５％の１種または複数の親水性化合物を含む。
【０１２６】
１つの実施形態において、乾燥組成物は、生体適合性重合体よりも少ない親水性化合物を含む、すなわち、親水性化合物：生体適合性重合体比は、１：１未満、例えば約０．９：１以下など、例えば、約０．８：１以下、例えば約０．７：１以下など、例えば、約０．６：１以下、例えば約０．５：１以下など、例えば約０．４：１以下など、例えば、約０．３：１以下、例えば約０．２：１以下など、例えば、約０．１：１以下である。親水性化合物：生体適合性重合体比は、乾燥前のペーストにおいても同一である。
【０１２７】
１つの実施形態において、親水性化合物：生体適合性重合体比は、約０．１：１〜１：１、例えば約０．２：１〜１：１など、例えば、約０．３：１〜１：１、例えば約０．４：１〜１：１などである。１つの実施形態において、親水性化合物：生体適合性重合体比は、約０．１：１〜０．８：１、例えば約０．１：１〜０．７：１など、例えば、約０．１：１〜０．６：１、例えば約０．１：１〜０．５：１など、例えば、０．１：１〜０．４５：１である。さらにより好ましくは、親水性化合物：生体適合性重合体比は、約０．１５：１〜０．８：１、例えば約０．１５：１〜０．７：１など、例えば、約０．１５：１〜０．６：１、例えば約０．１５：１〜０．５：１など、例えば、約０．１５：１〜０．５：１、例えば０．１５：１〜０．４５：１などである。好適な実施形態において、親水性化合物：生体適合性重合体比は、約０．２：１〜０．８：１、例えば約０．２：１〜０．７：１など、例えば、約０．２：１〜０．６：１、例えば約０．２：１〜０．５：１など、例えば、０．２：１〜０．４５：１である。
【０１２８】
１つの実施形態において、親水性化合物：生体適合性重合体比は、約０．３：１〜０．８：１、例えば約０．３：１〜０．７：１など、例えば、約０．３：１〜０．６：１、例えば約０．３：１〜０．５：１など、例えば、約０．３５：１〜０．５：１、例えば約０．３５：１〜０．４５：１などである。
【０１２９】
１つの実施形態において、本開示の親水性化合物は、ポリエチレングリコール（ＰＥＧ）ではない。
【０１３０】
追加化合物
本発明の乾燥組成物は、以下：ＤＭＳＯ（ジメチルスルホキシド）、２−メチル−２，４−ペンタンジオール（ＭＰＤ）のうち１種または複数、および／または以下の表に記載される化合物のうち１種または複数を、さらに含むことができる。
【０１３１】
【表２】
0006390873.tif 000003
【０１３２】
１つの実施形態において、本開示の乾燥組成物は、１種または複数の抗微生物剤、例えば１種または複数の抗菌剤などを含む。
【０１３３】
１つの実施形態において、本開示の乾燥組成物は、塩化ベンザルコニウムを含む。
【０１３４】
１つの実施形態において、本開示の乾燥組成物は、抗微生物剤を含まない。
【０１３５】
１つの実施形態において、乾燥組成物は、押出性向上剤、すなわちペーストをシリンジから押し出しやすくすることができる化合物を、さらに含む。
【０１３６】
ある特定の押出性向上剤（アルブミンなど）を適切な量で加えると、その向上剤がゼラチンペースト組成物を、例えばシリンジから、押し出すのに必要な力の量を低下させるので、ゼラチン濃度をより高くして使用できるようになることが、すでに示されている。ゼラチン濃度をより高くして使用するということは、ひいては、そのような製品の止血性能を改善できるということである。押出性向上剤を適切な量で加えることが必要である。適切な量とは、好ましくは、押出効果を得る、すなわち、たとえ比較的高含量の生体適合性重合体（例えば架橋ゼラチン）の場合であっても流動性ペーストにすることができ、その結果、外科医が、例えばアプリケーター型先端を有するシリンジを用いて、止血ペースト組成物を、正確に塗布することができるほど十分な多さでありながら；一方で、その量は、止血組成物の良くない機能的性質が出てこないぐらい低い。
【０１３７】
押出性向上剤は、好ましくは、アルブミン、特にヒト血清アルブミンである。
【０１３８】
減圧膨張および乾燥前の本発明のペースト組成物において、押出性向上剤（アルブミンなど）は、好ましくは、約０．１％〜約１０％、例えば約０．２％〜約８％など、例えば、約０．３％〜約７％、好ましくは約０．５％〜約５％、より好ましくは約１％〜約４％の量で存在する。
【０１３９】
本発明の乾燥ペースト組成物において、押出性向上剤（アルブミンなど）は、好ましくは、約０．３％〜約３０％、例えば約０．５％〜約２５％など、例えば、約１％〜約２０％、好ましくは約２％〜約１５％の量で存在する。
【０１４０】
１つの実施形態において、押出性向上剤は、乾燥組成物には存在せず、そのかわり、再構築中にペースト組成物に導入される。例えば、押出性向上剤は、ペーストの再構築に使われる水性媒体に存在し、それにより押出性向上剤を含む湿潤ペースト組成物を得ることができる。
【０１４１】
１つの実施形態において、本発明による再構築された湿潤ペースト組成物は、４０Ｎ以下、好ましくは３５Ｎ未満、特に好ましくは３０Ｎ未満、さらには２０Ｎ未満の、平均押出力（例えば、（特許文献６）の実施例１に記載の試験法を用いて）を有する。
【０１４２】
本発明による押出性向上剤の別のクラスのものは、リン脂質（ホスファチジルコリンおよびホスファチジルセリンなど）または複雑混合物（レシチンまたは大豆油など）である。
【０１４３】
生理活性作用剤
本発明の１つの実施形態において、乾燥組成物は、１種または複数の生理活性作用剤を含む、すなわち１種または複数の生理活性作用剤が、膨張および乾燥前のペーストに含まれている。生理活性作用剤が、プロセス全体を通じてその生理活性を保持すること、すなわち生理活性作用剤が最終的な再構築されたペーストにおいてその生理活性を保持することは、必須である。多くの生理活性作用剤が溶液中で不安定であり、特に酵素および他のタンパク質は、水が存在すると、分解してしまうか、その二次構造を失ってしまう可能性がある。
【０１４４】
１つの実施形態において、生理活性作用剤（トロンビンなど）は、創傷治癒および／または止血を刺激するものである。
【０１４５】
通例では、例えば市販されている止血キット（ＦｌｏｓｅａｌおよびＳｕｒｇｉｆｌｏなど）を用いて、止血ペーストが必要な時に手術場所で直接、トロンビン溶液を乾燥したまたは湿らせたゼラチン粉末と混合して、止血ペーストを作る。溶液のトロンビンは非常に不安定でありすぐに自己分解してしまうので、このトロンビン溶液は、ペーストを作る直前に作らなければならない。手術場所でトロンビン溶液を作ることは、時間がかかるとともに、トロンビンの正確な希釈に関して間違いを起こす危険性が関わってくる。
【０１４６】
本開示は、乾燥前のペーストにトロンビンを添加することを可能にし、それにより、手術場所での時間がかかり間違いを起こしやすいトロンビン希釈工程および添加を必要とせずに、適切な水性媒体（水など）の存在下で再構築を行ったときに、所望量のトロンビンを含むようになっている、トロンビンを含む乾燥組成物をもたらす。このように、本開示の乾燥組成物にトロンビンを含ませることができるということは、従来の止血ペースト作製法に勝る明らかな利点となる。
【０１４７】
本発明者らは、本開示に従って、再構築されたペーストでトロンビン活性の低下が本質的に測定されることなく、トロンビンをペーストに含ませて凍結乾燥により乾燥させることができることを示した。
【０１４８】
トロンビンは、乾燥前の本開示のペーストに、再構築された乾燥組成物が確実に効果的な止血を行うのに十分な量で加えることができる。１つの実施形態において、トロンビンは、約１００ＩＵ／ｍｌペースト〜約５００ＩＵ／ｍｌペースト、例えば約１５０ＩＵ／ｍｌペースト〜約４５０ＩＵ／ｍｌペーストなど、例えば、約２００ＩＵ／ｍｌペースト〜約４００ＩＵ／ｍｌペースト、例えば約２５０ＩＵ／ｍｌペースト〜約３５０ＩＵ／ｍｌペーストなどの範囲の濃度で加えることができる。
【０１４９】
１つの実施形態において、トロンビンは、乾燥前のペーストに、約５０ＩＵ／ｇペースト〜約５０００ＩＵ／ｇペースト、好ましくは約１００ＩＵ／ｇペースト〜約１０００ＩＵ／ｇペースト、例えば約２００ＩＵ／ｇペースト〜約８００ＩＵ／ｇペーストなどの範囲の濃度で加えることができる。そのような実施形態において、乾燥組成物は、トロンビンを含むだろう。別の実施形態において、乾燥組成物はトロンビンを含まず、トロンビンは、乾燥組成物から再構築を行う際、乾燥ペースト組成物にトロンビン含有液体を用いて再構築を行うことにより、加えることができる。
【０１５０】
１種または複数の生理活性作用剤としては、例えばトロンビン、またはトロンビンとフィブリノーゲンの組み合わせ、またはトロンビンおよびフィブリノーゲンと第ＸＩＩＩ因子の組み合わせ、またはトロンビンおよびフィブリノーゲンおよび第ＸＩＩＩ因子とトラネキサム酸の組み合わせが可能である。
【０１５１】
トロンビンとは「トリプシン様」セリンプロテアーゼタンパク質であり、このタンパク質は、ヒトでは、Ｆ２遺伝子によりコードされる。凝固カスケードにおいて、プロトロンビン（凝固第ＩＩ因子）がタンパク質分解により切断されることで、トロンビンが形成され、最終的に失血を食い止める。トロンビンは、次いで、セリンプロテアーゼとして働くが、セリンプロテアーゼは、多くの他の凝固関連反応を触媒するほかにも、溶解性フィブリノーゲンを不溶性のフィブリン鎖に変換する。血液凝固経路において、トロンビンは、因子ＸＩをＸＩａに、ＶＩＩＩをＶＩＩＩａに、ＶをＶａに、およびフィブリノーゲンをフィブリンに変換するように働く。
【０１５２】
本発明に従って好適な生理活性作用剤は、トロンビンである。１つの実施形態において、このトロンビンは、プロトロンビンとして添加される。
【０１５３】
１つの実施形態において、乾燥組成物は、骨および／または腱および／または組織の治癒を刺激する１種または複数の生理活性作用剤、例えば、マトリックスメタロプロテイナーゼ（ＭＭＰ）、インシュリン様成長因子１（ＩＧＦ−Ｉ）、血小板由来成長因子（ＰＤＧＦ）、血管内皮増殖因子（ＶＥＧＦ）、塩基性線維芽細胞増殖因子（ｂＦＧＦ）、およびトランスフォーミング成長因子β（ＴＧＦ−β）からなる群より選択される１種または複数の成長因子を含む。
【０１５４】
１つの実施形態において、乾燥組成物は、１種または複数の骨形成タンパク質（ＢＭＰ）を含む。骨形成タンパク質（ＢＭＰ）は、ＴＧＦ−βスーパーファミリーのなかのサブグループである。骨形成タンパク質（ＢＭＰ）は、サイトカインとしておよびメタボロゲンとしても知られる成長因子のグループである。ＢＭＰは、最初に、それらが持つ骨および軟骨形成の誘導能力によって発見されたが、今では、形態形成の中心的な信号のグループを構成し、体中の組織構築を指揮すると見なされている。
【０１５５】
１つの実施形態において、本開示の乾燥組成物は、１種または複数のマトリックスメタロプロテイナーゼ（ＭＭＰ）を含む。ＭＭＰは、亜鉛依存性エンドペプチダーゼである。ＭＭＰは、創傷後の治癒過程の間、細胞外基質（ＥＣＭ）の分解および再造形で非常に重要な役割を担っている。ＭＭＰ−１、ＭＭＰ−２、ＭＭＰ−８、ＭＭＰ−１３、およびＭＭＰ−１４を含むある種のＭＭＰは、コラーゲン分解酵素活性を有する、すなわち他の多くの酵素と異なり、それらはＩ型コラーゲン原繊維を分解することができる。
【０１５６】
これらの成長因子は全て、治癒過程の間、異なる役割を果たす。ＩＧＦ−１は、炎症の第一段階の間コラーゲンおよびプロテオグリカン産生を増加させ、ＰＤＧＦも、創傷後の初期段階の間存在して、ＤＮＡ合成および細胞増殖に合わせて他の成長因子の合成を促進する。ＴＧＦ−βの３種のアイソフォーム（ＴＧＦ−β１、ＴＧＦ−β２、ＴＧＦ−β３）は、創傷治癒および瘢痕形成に役割を果たすことが知られている。ＶＥＧＦは、血管新生を促進すること、ならびに内皮細胞の増殖および移動を誘導することが周知である。
【０１５７】
１つの実施形態において、本開示の乾燥組成物は、細胞外基質（ＥＣＭ）のフレークまたは粒子を含む。ＥＣＭは、動物組織の細胞外部分であり、通常、様々な重要な機能を行うだけでなく、動物細胞を構造的に支持している。ＥＣＭは、組織の機能的再生を促進するので、治癒において非常に有益な効果を有することがわかっている。
【０１５８】
本発明のペーストと組み合わせて用いることができる生物学的作用剤の種類は、莫大である。一般に、本発明の止血組成物を介して投与できる生物学的作用剤として、制限なく以下を挙げることができる：抗感染薬（抗生物質および抗ウイルス剤など）；鎮痛薬および鎮痛合剤；駆虫剤；抗関節炎薬；抗痙攣薬；抗鬱薬；抗ヒスタミン薬；抗炎症剤；抗偏頭痛製剤；抗悪性腫瘍薬；抗パーキンソン症候群薬；抗精神病薬；解熱薬、鎮痙薬；抗コリン薬；交感神経模倣薬；キサンチン誘導体；カルシウムチャンネル遮断薬およびβ遮断薬（ピンドロールなど）を始めとする心血管系製剤および抗不整脈薬；降圧薬；利尿薬；血管拡張薬（一般的な冠血管用、末梢用、および脳血管用を含む）；中枢神経系刺激薬；ホルモン（エストラジオールなど）および他のステロイド（コルチコステロイドを含む）；免疫抑制剤；筋肉弛緩薬；副交感神経遮断薬；覚醒剤；天然起原のまたは遺伝子改変タンパク質、多糖類、糖タンパク質、またはリポタンパク質；オリゴヌクレオチド、抗体、抗原、コリン作動薬、化学療法薬、放射性作用剤、骨誘導剤、細胞分裂阻害薬、ヘパリン中和剤、凝血原および止血剤、例えば、プロトロンビン、トロンビン、フィブリノーゲン、フィブリン、フィブロネクチン、ヘパリナーゼ、第Ｘ／Ｘａ因子、第ＶＩＩ／ＶＩＩａ因子、第ＶＩＩＩ／ＶＩＩＩａ因子、第ＩＸ／ＩＸａ因子、第ＸＩ／ＸＩａ因子、第ＸＩＩ／ＸＩＩａ因子、第ＸＩＩＩ／ＸＩＩＩａ因子、組織因子、バトロキソビン、アンクロッド、エカリン、フォン・ビルブランド因子、コラーゲン、エラスチン、アルブミン、ゼラチン、血小板表面糖タンパク質、バソプレッシン、バソプレッシン類似体、エピネフリン、セレクチン、凝血原毒液、プラスミノーゲン活性化因子阻害薬、血小板活性化剤、および止血活性を持つ合成ペプチド。
【０１５９】
ペーストの作成
本発明の方法に従って、粉末状の作用剤（例えば、生体適合性重合体）および任意選択の１種または複数の親水性化合物を、適切な量の水性媒体と混合してペーストとする。混合は、当業者に既知の任意の適切なやり方で、例えば、内容物を手作業で混合すること、または電動混合装置（ハンドミキサー、キッチンミキサー、または業務用ミキサーなど）を用いることなどにより、行うことができる。
【０１６０】
粉末粒子は、通常、水性媒体に実質的に不溶性であり、これによりペーストの形成が可能となる。架橋していることが、一般に、生体適合性重合体（ゼラチンなど）、を、水不溶性にしている。
【０１６１】
混合容器でペーストを混合することにより、ペースト全体に実質的に均質に分散した不連続気相を導入する、すなわち、混合されたペーストは、膨張性気体（空気など）を含む孔または区画を有することになる。
【０１６２】
１つの実施形態において、ペーストは、水性媒体、気体、およびある量の粉末粒子を、混合容器中、ペースト全体に実質的に均質に分散した不連続気相を有するペーストの形成をもたらす条件下で、混合することにより、作成される。気体は、例えば、空気、窒素、二酸化炭素、キセノン、アルゴン、またはそれらの混合物が可能である。
【０１６３】
特定の実施形態において、ペーストは、以下の工程により調製される：
・入れられた液体を混合する手段を備えた混合容器に、ある体積の液体を入れる工程、
・ある体積のこの液体にある体積の気体を入れる工程、入れる間、この液体とこの気体を一緒に混合してこの液体を含む連続液相中にこの気体を含む不連続気相が分散して含まれている発泡体を形成するのに効果的な条件下、この混合手段を作動させる、
・この発泡体に、ある量の生体適合性重合体粉末粒子を入れる工程、この生体適合性重合体は止血に用いるのに適しており、かつこの液体に実質的に不溶性である；および
・この不連続気相およびこの粒子がこの液相全体に実質的に均質に分散して含まれている実質的に均質なペースト組成物を形成するのに効果的な条件下、この発泡体とこの粉末粒子を一緒に混合し、それによりこの流動性ペースト組成物を形成する工程。
【０１６４】
１つの実施形態において、実質的に均質なペースト組成物は、連続液相を含む、すなわち、ペーストを閉鎖空間に入れた状態でペーストに力を加えると、その液相が出てくる。
【０１６５】
１つの実施形態において、粉末粒子は、毛細管力により水を保持するのに十分な大きさの孔およびチャンネルを含む。そのような粒子を用いてペーストが作成される場合、ペーストを密閉空間に入れた状態でペーストに力を加えると、水をペーストから放出させることができる。
【０１６６】
次いで、得られたペーストを、ペーストの減圧膨張、凍結、および乾燥に適した容器に移す。好ましくは、ペーストを移し入れる容器は、再構築にも、および再構築されたペースト組成物を、例えば止血を必要とする部位に塗布するのにも適している。
【０１６７】
ペーストの混合は、一般に、室温（２０〜２５℃）で行うことができる。しかしながら、トロンビンまたは他の敏感な作用剤（他の酵素など）がペーストに含まれている場合は、周知のとおりトロンビンは濡れると自己分解しやすいため、トロンビンのタンパク質分解活性を回避または低下させるために、冷却温度で、および／または短時間のうちに、ペーストの混合を行うことが推奨される。したがって、トロンビンまたは他の敏感な生理活性作用剤をペーストに含めようとする場合、ペーストの混合は、通常、室温より低い温度、例えば約２℃〜約２５℃など、例えば約２℃〜約１５℃、例えば約２Ｃ〜約１０Ｃなど、好ましくは約４℃で行われる。
【０１６８】
ペースト中でトロンビンの生物活性を保持する他のまたは追加のやり方は、トロンビンが湿潤状態にある時間、すなわち混合時間を、最小限に抑えることである。したがってトロンビンまたは他のタンパク質分解活性酵素をペーストに含めようとする場合、ペーストの混合は、通常、約５分間〜約１０時間、例えば約５分間〜約５時間など、例えば約５分間〜約２時間、好ましくは約５分間〜約１時間、例えば約５分間〜約３０分間などのうちに行われる。
【０１６９】
本出願の発明者は、トロンビン活性の損失を回避するために低温でペースト混合を行うことが必須ではないことを見いだした。なぜなら、ペーストの混合を周辺温度で行っても、トロンビン活性の検出可能な低下は見られなかったからである。
【０１７０】
容器
本開示のペーストの調製および乾燥中の収容には、当業者に既知の任意の適切な容器（バイアル、ジャー、チューブ、トレイ、カートリッジ、またはシリンジなど）を使用することができる。
【０１７１】
１つの実施形態において、ペーストは、１つの容器で一括調製され、膨張、凍結、および乾燥のため別の容器に移される／等分割される。この場合の他の容器は、シリンジ、バイアル、ジャー、チューブ、トレイ、およびカートリッジなどのアプリケーターから選択される。好ましくは、他の容器は、流動性止血組成物を、それを必要としている患者に吐出するのに適した医薬送達デバイスである。１つの実施形態において、膨張、凍結、および乾燥の間ペースト組成物を収容する容器は、シリンジである。
【０１７２】
本発明による「ジャー」とは、口の広く開いたほぼ円柱状の固い容器である。ジャーは、その口に、開閉可能な密閉ユニット／蓋を備えていてもよい。
【０１７３】
容器は、任意の適切な材料、例えばプラスチック、ガラス、セラミック、または金属（ステンレス鋼など）製のものが可能である。
【０１７４】
適切なプラスチック材料の例として、ポリエチレン、ポリプロピレン、ポリスチレン、ポリ塩化ビニル、およびポリテトラフルオロエチレン（ＰＴＦＥ）が挙げられるが、これらに限定されない。
【０１７５】
１つの実施形態において、ペーストは、流動性止血組成物を吐出するのに適したアプリケーターに充填され、その中で乾燥させられる。
【０１７６】
１つの実施形態において、本開示は、以下を含む容器に関する：
ａ．水性媒体を添加するとペーストを形成することができる乾燥組成物が入った生成物槽、生成物槽内部の圧は、生成物槽外部の圧よりも低い、および
ｂ．弁。
【０１７７】
好ましくは、乾燥組成物は、容器内に存在する乾燥組成物に水性媒体を添加すると、自然に再構築を行う。
【０１７８】
容器がバイパスを持たない実施形態においては、減圧膨張および乾燥中の気体の連通は、弁を通じて行われる。
【０１７９】
本開示の乾燥組成物は、用いた容器の形に応じて、様々な形、状態、および大きさで調製され得る。乾燥組成物は、例えば、プラグ状、ディスク状、ロッド状、チューブ状、円錐シリンダー状、球状、半球状、錠剤状、ペレット状、顆粒状、またはシート状になり得る。
【０１８０】
医薬送達デバイス
１つの実施形態において、ペーストは、流動性止血組成物を吐出するのに適した医薬送達デバイス（シリンジなど）に充填されて、その中で乾燥される。デバイスに移すのは、ペーストを減圧膨張させる前に行う。
【０１８１】
１つの実施形態において、医薬送達デバイスは、弁を有する使い捨てシリンジである。１つの実施形態において、シリンジは、凍結乾燥バイパスチャンネルを有し、このバイパスチャンネルが、シリンジの生成物槽と容器外側、すなわち外部環境との気体の連通手段となる。バイパスは、生成物槽と外部との気体の連通を可能にする開放状態および閉鎖状態をとることができる。バイパスは、生成物槽と外部との気体の連通を可能にするならばどこに位置していてもよく、例えば、図５に示すとおり、シリンジ本体またはプランジャーに位置していてもよい。シリンジが、シリンジ本体にバイパスを有する場合（図５、概念２）、このシリンジは、標準的なプランジャーと嵌合することができる。
【０１８２】
本開示の１つの実施形態は、ペースト凍結乾燥物（本開示の乾燥ペースト組成物など）を減圧状態で保持するシリンジに関し、本シリンジは、ペーストを入れるための、開口近位端および第一の流体開口を持つ遠位端を有する減圧槽を含む注射外筒、第二の流体開口を持ち、液体容器との接続に適合した連結部、ならびに連結部と減圧槽の遠位端を接続する圧力槽、圧力槽に配置された、第一の位置では第一および／または第二の流体開口を密閉し、第二の位置では第一および第二の流体開口間に流体経路を形成するように構成された圧力弁、開口近位端を通って減圧槽中で軸方向に移動するように作られているプランジャー、ならびに１つまたは複数の減圧バイパスチャンネルを含む。シリンジは、好ましくは使い捨てシリンジである。
【０１８３】
ペーストを凍結乾燥させる場合、減圧槽に作ることができる真空は、ペーストを膨張させるために重要である。さらに、シリンジの減圧槽においてペースト乾燥物を真空に、すなわち周囲の常圧より低い圧レベルで保持することにより、ペーストの調製時の液体添加および使用が容易になる。なぜなら、液体は、減圧槽の減圧により、減圧槽に吸引されるからである。
【０１８４】
プランジャーを操作するときにフリンジを扱いやすくする目的で、注射外筒は、減圧槽の近位端において、フランジを備えることができる。そのうえさらに、減圧槽および／または圧力槽の内部は、有利なように、円柱状にすることができる。
【０１８５】
連結部は、標準的な型の連結部、例えばルアーロックまたはルアースリップコネクター、好ましくはオス側ルアーロックまたはルアースリップコネクターが可能である。連結部には、一致するコネクターとの接続を確実にするためにねじ部を持たせてもよい。このねじ部は、図１８ａ、図１８ｂ、図２０ａ、および図２０ｂに示すとおり、連結部の内側に持たせることができる。
【０１８６】
本開示のシリンジの１つの実施形態において、圧力弁は、溝を有する。この溝は、圧力弁が第二の位置にあるときに、流体の通路となることができる。１つの例を、図１８ａおよび図１８ｂに示す。図１８ａおよび図１８ｂにも示すとおり、圧力弁５は、溝１２により軸方向で分割された２つの円柱状区分を有することができ、溝１２により形成された空隙が、圧力弁５が第二の位置にあるときに、流体の通路となる。この配置では、圧力弁は、図１８からわかるとおり、圧力弁の長軸に沿って対称に回転することができる、すなわち、圧力弁は、圧力弁の機能に干渉することなく、圧力槽の内側で回転することができる、すなわち、圧力弁が第一の位置にあるとき、減圧槽は圧力弁の回転位置とは無関係に密閉されており、圧力弁が第二の位置にあるとき、圧力弁の回転位置とは無関係に、減圧槽と連結部の間に流体の接続が形成される。
【０１８７】
圧力弁には、圧力弁が第一の位置にあるときに第一および第二流体開口を密閉できるように、ゴム性材料とするおよび／またはゴム性表面を持たせることができる。
【０１８８】
圧力槽は、好ましくは、減圧槽と第二の流体開口の間に位置する。そのうえさらに、圧力弁は、好ましくは、圧力槽に位置し、圧力槽において第一の位置にあるときに第一および第二流体開口を密閉するように、および圧力槽において第二の位置にあるときに第一流体開口と第二流体開口の間に流体通路となる／を作成するように構成されている。例えば、圧力弁は、好ましくは、第一および第二の位置の両方で、圧力槽に、例えば圧力槽の内側に位置する。すなわち、好ましくは、圧力弁は、第一および第二の流体開口の間の流体通路を制御する間、圧力槽の内側にあり続ける。
【０１８９】
本開示のシリンジの１つの実施形態において、圧力槽は、減圧槽の遠位端に隣接する近位端、および連結部の近位端に隣接する遠位端を有する。さらに、連結部は、圧力槽の遠位端に隣接する近位端、および液体容器と接続するようになっている遠位端を有することができる。第二の流体開口は、例えば図１８および図２０に示すとおり連結部を通って延びるチャンネルを形成することができる。これらの図からもわかるとおり、第二の流体開口は、圧力槽の遠位端に隣接する近位端、および流体の入り口および出口用の遠位端を有することができる。したがって、圧力弁は、第一の位置にあるときに、第一の流体開口の遠位端および第二の流体開口の近位端を密閉するように構成することができる。
【０１９０】
つまり、本開示のシリンジを用いると、減圧槽中のペースト再構築用液体は、シリンジの遠位端から、連結部の第二の流体開口を介して、圧力槽を通して、減圧槽まで提供されることで可能である。再構築されたペーストの送達もまた、シリンジの遠位端を通じて行なわれる。この解決法は、減圧槽と遠位流体開口の間に位置する圧力弁を持つ専用の圧力槽を提供することにより可能となり、これにより、圧力槽から圧力弁を取り除くことなく、また第二流体開口に接触することなく、第一流体開口と第二流体開口の間の流体通路の遮断および開放を制御することが可能になる。つまり、外部の液体容器をシリンジの連結部と接続することができるが、その時圧力弁は第一の位置にある、すなわち、流体通路は遮断（密閉）されている。圧力弁を第二の位置に切り替えることで、流体通路を開放すると、液体は、ペーストの再構築のため、液体容器からシリンジの減圧槽へと移動することができる。したがって、本開示のシリンジは、ペースト乾燥物（止血ペーストなど）から再構築を行うときに、安全、簡単、かつ迅速に使用できる。
【０１９１】
本開示のシリンジのさらなる実施形態において、圧力弁の第一および第二の位置は、シリンジの長軸に対して放射状に配置される。そのうえさらに、圧力弁は、圧力弁が第一の位置にあるときに、圧力槽から突き出ていてもよい。そしてさらに、圧力弁は、圧力弁が第二の位置にあるときに、圧力槽と同一平面になっても、例えば圧力槽に完全に一体化してもよい。圧力弁は、圧力弁の圧力槽から突き出ている端に弁フランジを備えていてもよい。この弁フランジは、この第一の位置にあるときに、圧力槽から突き出していてもよく、また弁フランジは、第二の位置にあるときに、圧力槽と同一平面になってもよい。そうすると、弁フランジは、圧力弁用の停止フランジとして機能することができる、すなわち、圧力弁が第二の位置にあるときに、弁フランジが圧力槽と隣接するように、圧力弁を構成することができる。
【０１９２】
本開示のシリンジのさらに別の実施形態において、圧力弁の第一および第二の位置は、例えば図３〜１３に示すとおり、回転式に変えられ、図３〜１２は閉鎖位置および図１３は開放位置である。これらの図でも例示されるとおり、圧力弁は、圧力弁が第二の位置にあるときに流体通路となる貫通チャンネルを有することができる。そのうえさらに、圧力弁は、圧力弁が第二の位置にあるときに流体通路を形成する貫通放射状チャンネルを持つ円柱状区画を有することができる。
【０１９３】
さらなる実施形態において、圧力弁および圧力槽は、圧力弁の第二の位置が固定位置であるように構成される。圧力弁を、この固定位置で、軸移動および／または回転移動について固定させることができる。これにより、いったん圧力弁が第二の位置に動かされると、圧力弁が確実にそこにとどまることを助けることができるので、それにより、必要なときにペーストをシリンジから放出できることを確実にする。圧力弁および圧力槽は、さらに、第一の位置が部分的に固定される位置であるように構成することができ、例えば、圧力弁は、圧力槽から外す／外れることはできないが、第二の位置に動くことだけはできる。これにより、減圧槽内の減圧を確実に保持することを助けることができる。
【０１９４】
本開示のシリンジのさらなる実施形態において、圧力弁は、開口部を有し、この開口部は、好ましくは、圧力弁が第二の位置にあるときに流体通路の少なくとも一部分となる、すなわち、好ましくはこの開口部は、圧力槽に挿入されたときに、注射外筒の長軸方向に延びるように、圧力弁を横方向に通過して延びる。
【０１９５】
さらなる実施形態において、圧力弁および圧力槽は、圧力弁が、この第一の位置において放射状移動が制限されている（注射外筒の長軸方向に対して外側への放射状移動が制限されているなど）ように構成される。この放射状移動の制限は、圧力弁上および／または圧力槽内側の１つまたは複数の突起により提供することができる。例えば、圧力弁は１つまたは複数の突起を有し、好ましくはそれらは横方向に（流体通路に対して放射状など）突き出してる。放射状移動の制限はまた、圧力槽の内側壁を狭めることによっても提供することができ、この狭窄は、第一の位置にある圧力弁の放射方向の移動を制限するように構成することができる。例えば、この狭窄は、圧力弁の１つまたは複数の突起が、圧力弁の第一の位置において狭窄と隣接するように、これまたはこれらの突起と一致するように構成することができる。狭窄は、図１９ｃおよび１９ｄに例示するとおり、圧力槽の内側壁の１つまたは複数の「肩部」により提供することができる。
【０１９６】
さらなる実施形態において、圧力弁は、この第一の位置において、圧力槽から横方向および／または放射状に突き出しており、この実施形態において、圧力弁は、この第二の位置において、圧力槽と同一平面になるまたは完全に沈み込む。圧力弁は、上面が提供されていてもよく、この上面が、この第一の位置において、圧力槽の上面と同一平面になることができる。これらの上面は、図１９および図２０に示すとおり、互いに丸めるおよび／または一致することができる。
【０１９７】
圧力弁および圧力槽は、圧力弁が圧力槽のある片側から（圧力槽のある片側のみを通じてなど、例えば、圧力槽の開口、例えば、圧力槽の底部開口を通じてなど、この場合圧力槽の頂部開口は圧力弁が第一の位置にある場合に延びる方向の先にあることができる）挿入できるように構成することができる。
【０１９８】
本開示のシリンジは、好ましくは、乾燥ペースト組成物を減圧槽内部で凍結乾燥できるように、構成されている。上記の１つまたは複数の減圧バイパスチャンネルは、減圧槽と周辺雰囲気／大気との流体（気体など）の連通を提供するように構成することができる、すなわち、減圧バイパスチャンネルは、本明細書中記載されるとおり、凍結乾燥バイパスチャンネルとして機能することができる。１つの実施形態において、シリンジは、減圧槽内側でプランジャーが少なくとも第一の軸位置にあるときに、プランジャーが密閉式に減圧槽と係合するように、かつ減圧槽内側でプランジャーが少なくとも第二の軸位置にあるときには、上記１つまたは複数の減圧バイパスチャンネルを介して、プランジャーを横断する流体連通が確立されるように、構成される。すなわち、プランジャーが第二の軸位置にあるときには、減圧を確立することおよび組成物を凍結乾燥させることが可能であり、一方、プランジャーが第一の位置にあるときには減圧槽内の減圧を保持することができる。しかしながら、代替として、上記１つまたは複数の減圧バイパスチャンネルは、プランジャーの位置とは無関係に、例えば減圧槽に直接位置する（第二の）圧力弁を介して、減圧槽と周辺大気との間に直接、流体連通を提供することができるように、構成される。あるいは、上記１つまたは複数の減圧バイパスチャンネルを、プランジャーに形成することができる。
【０１９９】
したがって、１つまたは複数の減圧バイパスチャンネルは、減圧槽内側で、プランジャーが予め定められた軸位置にあるときには、減圧槽とプランジャーの間の閉鎖を破るように構成することができる。そのうえさらに、上記１つまたは複数の減圧バイパスチャンネルは、減圧槽に形成することができる。例えば、上記１つまたは複数の減圧バイパスチャンネルは、例えば減圧槽の近位端の、内側表面に形成された、１つまたは複数の長軸方向の溝であることが可能である。
【０２００】
本開示のシリンジの１つの実施形態において、注射外筒は、一体の材料で形成される。注射外筒は、有利なことに、１回のサイクルの射出成形による製造に適しているおよび／または適合していることができる、すなわち注射外筒は、有利なことに、１回のサイクルの射出成形により製造することができる。すなわち、減圧槽、圧力槽、および連結部は、例えば図１６〜図１８に示すとおり、１つの要素を形成するように、一体化および／または組み合わせることができる。このことは、減圧槽内に確実に真空を確立して保持することができる助けとなるだろう。
【０２０１】
しかしながら、代替として、減圧槽、圧力槽、および連結部を別々の要素として形成し、シリンジの製造中に組み立てるように構成することができる。
【０２０２】
さらに、圧力槽と連結部を１つの要素として形成し、シリンジの製造中に減圧槽と組み立てるように構成することができる。あるいは、減圧槽と圧力槽を１つの要素として形成し、シリンジの製造中に連結部と組み立てるように構成することができる。
【０２０３】
本開示のシリンジの注射外筒１、１’を図１６〜図１８に例示する。図１６ａの注射外筒１は、減圧槽、圧力槽３、連結部４、およびフランジ８を備えていて、１つの部品として形成されており、１回のサイクルの射出成形による製造に適している。圧力槽３に挿入される圧力弁５は、弁フランジ６を備えている。図１６ａにおいて、圧力弁は、第一の位置にあるが、一方図１６ｂでは、圧力弁は第二の位置に動かされている。このことは、図１６ｃ（圧力弁の第一の位置）および１６ｄ（第二の位置）でより明らかである。圧力弁５が第二の位置にあるとき、弁フランジ６は、圧力槽３と隣接する。
【０２０４】
図１８ａおよび図１８ｂの切断図は、圧力弁５の構成をより明らかに示す。図１８ａの第一の位置では、圧力弁は、減圧槽２の内部体積２’の出口１１と連結部４の出口７の間の流体連通を遮断する。図１８ｂの圧力弁５が第二の位置にあるとき、圧力槽３および連結部４の出口７を介して、周囲と減圧槽２の内部体積２’の間に流体連通が提供される（点線／矢印で示されるとおり）、すなわち、流体が減圧槽２’に流入して、乾燥組成物と混ざり合い、例えば湿潤ペーストを形成することができ、続いてこのペーストを、注射外筒１、１’に配置されたプランジャー（図示せず）を操作することにより、出口７から制御しながら放出することができる。図１７ａの注射外筒１’は、フランジを持たない。
【０２０５】
図１８からわかるとおり、圧力弁５は、圧力弁が第二の位置にあるときに流体開口となる外周溝１２を持つシリンダーの様に形成される。すなわち、圧力弁５は、中央に位置するロッド１３により互いに接続されている２つの中空シリンダーの様に形成される。たとえロッド１３が流体通路の中央に位置しているとしても、出口７から減圧槽２に流入する液体、および注射外筒１、１’から出口７を通って放出されるペーストは、ロッド１３を容易に通過することができる。圧力弁５は、図１８に示すとおり、回転対称である。
【０２０６】
連結部４は、内側ねじ山１０を備えており、これは図１８で一番はっきりとわかる。内側ねじ山１０は、（湿潤）ペーストを形成しようとするときに、液体を減圧槽に吸引する前に、外側液体容器（一致するねじ山を持つ連結部を有する）との、確実で、締まった、干渉のない、接続を提供する助けとなるだろう。
【０２０７】
減圧バイパスチャンネル９は、図１６〜図１８で、減圧槽２の近位端において長軸方向に延びる溝として提示される。プランジャー（図示せず）が、注射外筒１、１’においてこれらの減圧チャンネルより下に配置される場合、プランジャーは、減圧槽と密閉式に係合する。しかしながら、プランジャーの遠位部分がバイパス減圧チャンネル９と同一平面になると、この密閉は締まったものではなくなる。なぜなら、減圧槽２’と周辺大気の間で、減圧バイパスチャンネル９を介してプランジャーを横断する流体、とくに空気の接続が、確立されるからである。すなわち、減圧槽２’内でペーストを凍結乾燥する間、注射外筒の近位端で吸引することにより、圧力槽２’内に真空を確立することができ、それにより乾燥ペーストを膨張させることができる。凍結乾燥および膨張プロセスの終了時、プランジャーを減圧バイパスチャンネルより下の位置に動かすことができ、それにより、減圧槽２と密閉式に係合し、その後も凍結乾燥ペーストを減圧に保持することができる。
【０２０８】
本開示のシリンジの別の例の注射外筒１’’は、図２０に例示されるが、これは、図１９により詳細に示されるとおり、別の実施形態の圧力弁５’および圧力槽３’を有し、図１９ａでは、圧力弁のみを拡大して示す。この圧力弁５’は、薄型で、実質的に四角形をしている。開口部１７は、圧力槽３’内で、圧力弁が第二の位置にあるときに、流体通路となる。圧力弁５’の外側形状は、圧力槽３’の内側形状と一致する。図１９ｂは、圧力槽３’内で、圧力弁５’が第一の位置にあるときの圧力弁５’を示し、このとき、流体通路は遮断されていて減圧槽２内の真空を維持することができる。図１９ｂでは、圧力弁５’は、圧力槽３’から上方へ突き出しているのがわかる、すなわち、圧力弁５’は、注射外筒２の長軸に対して圧力槽３’から放射状に突き出している。図１９ｃおよび１９ｄでは、圧力槽３’内の圧力弁５’の配置が見えるように、圧力槽３’は切断されている。図１９ｃでは、圧力弁５’は第一の位置にある、すなわち圧力槽３’から放射状に延びている。圧力弁５’および圧力槽３’は、圧力弁５’上の突起１４が圧力槽３’の内側壁の狭窄１５と隣接することにより、圧力弁が第一の位置において放射状移動に制限があるように構成されている、すなわち、圧力弁５’は、第一の位置にあるときに、それ以上外側に動くことができない。このことは、圧力弁５’が偶発的に圧力槽３’から外れてしまい、それにより減圧槽２の内の真空密閉が破れてしまうことがないようにするのを確実にする助けとなる。図１９ｄでは、圧力弁５’は第二の位置にある。圧力弁５’は、ここでは完全に圧力槽３’に沈み込んでいる。圧力弁５’の丸め込まれた上面は、圧力弁５’および圧力槽３’の上面が互いに同一平面になるように、圧力槽３’の対応する丸め込まれた上面と一致する。
【０２０９】
図２０ａ〜図２０ｂは、圧力槽３’内側の圧力弁５’の切断側面図を示し、図２０ａでは、圧力弁が第一の位置にあり、図２０ｂでは第二の位置にある。図２０ａに見られるとおり、流体通路７は、圧力弁５’で遮断されているが、図２０ｂでは、水平の点状矢印で示されるとおり、圧力弁５’の開口部１７により、流体接続が確立される。図２０ｂはまた、圧力弁５’がこの第二の位置にあるときに、どうやって圧力槽３’から突き出さないかも示す。このことは、圧力弁５’が第二の位置にあることによりいったん流体通路が確立されると、圧力弁５’は圧力槽３’内に沈み込むため、その位置は簡単には変更されないことを確実にする助けとなる。
【０２１０】
図２０ａの点状矢印は、開口１６を示し、ここを通じて圧力弁５’を圧力槽３’に挿入することができる。注射外筒１’’はまた、１回のサイクルの射出成形に適している。製造後、圧力弁５’を開口１６から挿入することができる。圧力弁５’も、それ自体、１回のサイクルの射出成形に適している。図１９ａおよび図２０ｃに示す３つの上部穴１８は、圧力弁５’を射出成形に適したものにするために提供される。
【０２１１】
止血シート
１つの実施形態において、乾燥組成物は、シート状である、すなわち、実質的に平坦な組成物である。
【０２１２】
シート状の乾燥組成物は、本発明のペーストをある表面に薄く均一に塗り広げ、ペーストを減圧膨張させ、このペーストを凍結乾燥させることにより、実質的に平坦な乾燥シート組成物として得ることができる。シート状の乾燥組成物は、液体と接触すると、自然に再構築を行ってペーストを形成する。したがって、シート状の乾燥組成物は、従来使用されてきた手術用スポンジが持つ比較的広範囲を覆うことができるという利点と、ペーストが持つ湿潤することででこぼこした表面に容易に同化するという利点の両方を有する。
【０２１３】
シート状の乾燥組成物は、柔らかく柔軟性がある。
【０２１４】
１つの実施形態において、本発明は、止血および／または創傷治癒に使用するためのシート状の乾燥組成物に関する。
【０２１５】
１つの実施形態において、シートは、使用前、すなわち創傷に貼付けられる前に、予め濡らされることはない。この場合、シートは、出血している創傷において、血液、創傷滲出液、および／または他の体液と接触することで、ｉｎ  ｓｉｔｕで再構築を行う。
【０２１６】
乾燥シート組成物の高さは、１つの実施形態において、約０．５ｍｍ〜約１０ｍｍ、好ましくは約１ｍｍ〜５ｍｍ、より好ましくは約１ｍｍ〜３ｍｍ、例えば約２ｍｍなどである。
【０２１７】
乾燥シート組成物の寸法（幅および奥行き）は、シートの用途に依存し、当業者により選択することができる。乾燥シート材料は、例えば、長方形、正方形、または円形であってもよい。例えば、乾燥シート組成物は、例えば、約５ｃｍ×１０ｃｍ、２ｃｍ×６ｃｍ、６ｃｍ×８ｃｍ、または８ｃｍ×１２ｃｍの長方形をしていてもよい。
【０２１８】
１つの実施形態において、乾燥シート組成物は、使用前に所望の形に切断される。
【０２１９】
減圧
本開示の方法に従って、ペーストを減圧、すなわち常圧より低い圧、すなわち通常は１０００ｍｂａｒ未満（低真空）に供することにより、ペーストを膨張させる。減圧膨張は、封じ込められている空気または他の気体が湿潤ペーストの間質の孔または区画内で膨張することにより、ペーストの全体積の増加をもたらす。
【０２２０】
減圧の圧は、ペーストが崩壊することなく十分な度合いに膨張するように選択される。したがって、圧は、低すぎてはならない。低すぎるとペーストの崩壊をもたらす。ペーストの減圧膨張は、例えば、凍結乾燥機で行うことができる。
【０２２１】
ペーストの減圧膨張は、物理の普遍的法則の１つ、理想気体の法則、の結果であり、この法則は、気体の体積が圧の低下の際に増加するように律する。理想気体の状態方程式は以下のとおりである：
ＰＶ＝ｎＲＴ
式中、Ｐは気体の圧であり、Ｖは気体の体積であり、ｎは気体を構成する物質の量（モル単位）であり、Ｔは気体の温度であり、Ｒは理想（すなわち普遍）気体定数である。
【０２２２】
湿潤ペーストを常圧より低い圧に供すると、ペーストの間質の空間（孔）内で空気または他の気体の膨張をもたらし、この膨張が次いでペーストの全体積の増加およびペースト密度の低下を招く。ペースト組成物を乾燥させて乾燥ペースト組成物とした後、拡大した孔径は、透過性および濡れ性の上昇をもたらし、したがって乾燥組成物の再構築速度の上昇をもたらす。したがって、１つの実施形態において、本開示は、湿潤ペーストを減圧に供することによりペースト密度を調節してペースト体積を適合させる方法に関する。
【０２２３】
１つの実施形態において、ペースト密度は、減圧膨張の結果として、少なくとも０．９５倍、例えば少なくとも０．９０倍など、例えば、少なくとも０．８５倍、例えば少なくとも０．８０倍など、例えば、少なくとも０．７５倍、例えば少なくとも０．７０倍など、例えば、少なくとも０．６５倍、例えば少なくとも０．６０倍など、例えば、少なくとも０．５５倍、例えば減圧膨張の結果として少なくとも０．５０倍などに低下する。好ましくは、ペースト密度は、減圧膨張の結果として、少なくとも０．８倍に低下する。
【０２２４】
１つの実施形態において、ペースト密度は、減圧膨張の結果として、約０．７５倍に低下する。
【０２２５】
ペーストを減圧膨張する前の、湿潤ペーストの密度は、例えば、約０．５ｇ／ｍｌ〜約１ｇ／ｍｌ、例えば約０．６ｇ／ｍｌ〜約０．９ｇ／ｍｌなど、例えば、約０．７ｇ／ｍｌ〜約０．８ｇ／ｍｌの範囲が可能である。
【０２２６】
例えば、膨張前のゼラチンペーストの密度は、通常、約０．６０ｇ／ｍｌ〜約０．８０ｇ／ｍｌ、例えば約０．６５ｇ／ｍｌ〜約０．７５ｇ／ｍｌなど、例えば約０．７ｇ／ｍｌなどの範囲である。
【０２２７】
減圧膨張後、湿潤ペーストの密度は、例えば、約０．１ｇ／ｍｌ〜約０．８ｇ／ｍｌ、より好ましくは約０．２ｇ／ｍｌ〜約０．７ｇ／ｍｌ、例えば、約０．２ｇ／ｍｌ〜約０．６ｇ／ｍｌ、例えば約０．２ｇ／ｍｌ〜約０．５ｇ／ｍｌなどの範囲が可能である。
【０２２８】
例えば、膨張後のゼラチンペーストの密度は、通常、約０．２ｇ／ｍｌ〜約０．６ｇ／ｍｌ、より好ましくは約０．３ｇ／ｍｌ〜約０．６ｇ／ｍｌ、例えば約０．４ｇ／ｍｌ〜約０．５ｇ／ｍｌなどの範囲である。
【０２２９】
ペーストの体積は、ペーストを減圧に供することにより、概算で、少なくとも約１．０５倍、例えば少なくとも１．１倍など、例えば、少なくとも１．２倍、例えば少なくとも１．３倍など、例えば、少なくとも１．４倍、例えば少なくとも１．５倍など、例えば、少なくとも１．６倍、例えば少なくとも１．７倍など、例えば、少なくとも１．８倍、例えば少なくとも１．９倍など、例えば、少なくとも２．０倍に増加する。
【０２３０】
１つの実施形態において、ペーストの体積は、湿潤ペーストの減圧膨張の結果として、約１．０５倍〜約２．０倍、例えば約１．１倍〜約１．８倍など、例えば、約１．２倍〜約１．６倍に増加する。
【０２３１】
乾燥後、乾燥ペースト組成物の密度は、水の除去によりさらに低下する。したがって、減圧膨張した湿潤ペーストの乾燥後、乾燥ペースト組成物の密度は、通常、約０．１ｍｇ／ｍｌ〜約１００ｍｇ／ｍｌ、より好ましくは約１ｍｇ／ｍｌ〜約５０ｍｇ／ｍｌ、例えば約５ｍｇ／ｍｌ〜約４０ｍｇ／ｍｌなどの範囲内である。
【０２３２】
例えば、本開示の方法により調製された、ゼラチンを含む減圧膨張乾燥組成物は、通常、約１ｍｇ／ｍｌ〜約４０ｍｇ／ｍｌ、例えば約５ｍｇ／ｍｌ〜約３５ｍｇ／ｍｌなど、例えば、約１０ｍｇ／ｍｌ〜約３５ｍｇ／ｍｌの密度を有する。
【０２３３】
１つの実施形態において、減圧膨張した乾燥組成物の密度は、約１ｍｇ／ｍｌ〜約４０ｍｇ／ｍｌ、より好ましくは約５ｍｇ／ｍｌ〜約４０ｍｇ／ｍｌ、例えば約５ｍｇ／ｍｌ〜約３８ｍｇ／ｍｌなど、例えば、約５ｍｇ／ｍｌ〜約３６ｍｇ／ｍｌ、例えば約５ｍｇ／ｍｌ〜約３４ｍｇ／ｍｌなど、例えば、約５ｍｇ／ｍｌ〜約３２ｍｇ／ｍｌ、例えば約５ｍｇ／ｍｌ〜約３０ｍｇ／ｍｌなど、例えば、約５ｍｇ／ｍｌ〜約２８ｍｇ／ｍｌ、例えば約５ｍｇ／ｍｌ〜約２６ｍｇ／ｍｌなど、例えば、約５ｍｇ／ｍｌ〜約２４ｍｇ／ｍｌ、例えば約５ｍｇ／ｍｌ〜約２２ｍｇ／ｍｌなど、例えば、約５ｍｇ／ｍｌ〜約２０ｍｇ／ｍｌの範囲内である。
【０２３４】
１つの実施形態において、ペーストは、常圧より少なくとも１０ｍｂａｒ低い、例えば、常圧より少なくとも５０ｍｂａｒ低い、例えば常圧より少なくとも１００ｍｂａｒ低いなど、例えば、常圧より少なくとも１５０ｍｂａｒ低い、例えば常圧より少なくとも２００ｍｂａｒ低いなど、例えば、常圧より少なくとも２５０ｍｂａｒ低い、例えば常圧より少なくとも３００ｍｂａｒ低いなど、例えば、常圧より少なくとも３５０ｍｂａｒ低い、例えば常圧より少なくとも４００ｍｂａｒ低いなど、例えば、常圧より少なくとも４５０ｍｂａｒ低い、例えば常圧より少なくとも５００ｍｂａｒ低いなど、例えば、常圧より少なくとも５５０ｍｂａｒ低い、例えば常圧より少なくとも６００ｍｂａｒ低いなど、例えば、常圧より少なくとも６５０ｍｂａｒ低い、例えば常圧より少なくとも７００ｍｂａｒ低いなど、例えば、常圧より少なくとも７５０ｍｂａｒ低い、例えば常圧より少なくとも８００ｍｂａｒ低いなど、例えば、常圧より少なくとも８５０ｍｂａｒ低い、例えば常圧より少なくとも９００ｍｂａｒ低いなどの減圧に供される。
【０２３５】
減圧の圧は、好ましくは、圧が常圧より少なくとも５０ｍｂａｒ低いが、常圧より９００ｍｂａｒ超で低いことはなく、例えば常圧より少なくとも１００ｍｂａｒ低いが、常圧より８００ｍｂａｒ超で低いことはないように、選択される。
【０２３６】
減圧の圧は、好ましくは、圧が、常圧より１０００ｍｂａｒ超で下がってはいない、例えば常圧より９００ｍｂａｒ超で下がってはいないなど、例えば、常圧より８００ｍｂａｒ超で下がってはいない、例えば常圧より７００ｍｂａｒ超で下がってはいないなど、例えば、常圧より６００ｍｂａｒ超で下がってはいない、例えば常圧より５００ｍｂａｒ超で下がってはいないなどであるように、選択される。
【０２３７】
１つの実施形態において、減圧の圧は、１０００ｍｂａｒ未満〜１００ｍｂａｒ、例えば９５０ｍｂａｒ〜１００ｍｂａｒなど、例えば、９００ｍｂａｒ〜１００ｍｂａｒ、例えば８５０ｍｂａｒ〜１００ｍｂａｒなど、例えば、８００ｍｂａｒ〜１００ｍｂａｒ、例えば７５０ｍｂａｒ〜１００ｍｂａｒなど、例えば、７００ｍｂａｒ〜１００ｍｂａｒ、例えば６５０ｍｂａｒ〜１００ｍｂａｒなど、例えば、６００ｍｂａｒ〜１００ｍｂａｒ、例えば５５０ｍｂａｒ〜１００ｍｂａｒなど、例えば、５００ｍｂａｒ〜１００ｍｂａｒ、例えば４５０ｍｂａｒ〜１００ｍｂａｒなど、例えば、４００ｍｂａｒ〜１００ｍｂａｒ、例えば３５０ｍｂａｒ〜１００ｍｂａｒなど、例えば、３００ｍｂａｒ〜１００ｍｂａｒ、例えば２５０ｍｂａｒ〜１００ｍｂａｒなど、例えば、２００ｍｂａｒ〜１００ｍｂａｒである。
【０２３８】
１つの実施形態において、減圧の圧は、１０００ｍｂａｒ未満〜２００ｍｂａｒ、例えば１０００ｍｂａｒ〜２５０ｍｂａｒなど、例えば、１０００ｍｂａｒ〜３００ｍｂａｒ、例えば１０００ｍｂａｒ〜３５０ｍｂａｒなど、例えば、１０００ｍｂａｒ〜４００ｍｂａｒ、例えば１０００ｍｂａｒ〜４５０ｍｂａｒなど、例えば、１０００ｍｂａｒ〜５００ｍｂａｒ、例えば１０００ｍｂａｒ〜５５０ｍｂａｒなど、例えば、１０００ｍｂａｒ〜６００ｍｂａｒ、例えば１０００ｍｂａｒ〜６５０ｍｂａｒなど、例えば、１０００ｍｂａｒ〜７００ｍｂａｒ、例えば１０００ｍｂａｒ〜７５０ｍｂａｒなど、例えば、１０００ｍｂａｒ〜８００ｍｂａｒ、例えば１０００ｍｂａｒ〜８５０ｍｂａｒなど、例えば、１０００ｍｂａｒ〜９００ｍｂａｒ、例えば１０００ｍｂａｒ〜９５０ｍｂａｒなどである。
【０２３９】
好適な実施形態において、減圧の圧は、約９００ｍｂａｒ〜５００ｍｂａｒである。
【０２４０】
膨張速度は、吸引ポンプおよび減圧槽の大きさに、すなわち、減圧槽の圧をどれだけ速く所望のレベルに低下させることができるかに依存する。本開示による低真空レベルは、ほとんど即座に達成されるので、ペーストの膨張は、吸引ポンプを稼働させてから基本的に即座に起こる。
【０２４１】
減圧膨張は、通常、ペーストの凍結点より高い温度で行われる。１つの実施形態において、減圧膨張は、周辺温度または周辺温度より低い温度で、例えば約０℃〜約２５℃など、例えば約２℃〜約２０℃など、例えば、約２℃〜約１５℃、例えば約２℃〜約１０℃など、例えば約４℃〜約２０℃など、例えば、約４℃〜約１５℃、例えば約４℃〜約１０℃などの温度で行われる。ペーストが、敏感な生理活性作用剤（トロンビンなど）を含む場合、減圧膨張は、好ましくは周辺温度より低い温度で行われる。
【０２４２】
ペーストの凍結
本発明のペーストを所望の度合いまで膨張させたら、通常は、ペーストが凍結するのに十分な長さの時間、ペーストを０℃未満の温度に供して、ペーストを凍結させる。凍結は、減圧を解除することなく起こるので、したがってペーストの凍結は膨張したペーストの構造を適切に固定する。したがって、その後さらに圧力が変化しても、凍結したペーストの体積に影響することはない。凍結は、好ましくは、凍結乾燥機で行われる。
【０２４３】
ペーストを凍結する温度の選択は、ペーストの凍結点および／またはペーストのガラス転移温度に依存し、当業者が決定することができる。凍結ペーストに望ましい温度は、ペーストの凍結点およびガラス転移温度のうち低い方よりも約５℃低い。例えば、ペーストの凍結点が−３５℃ならば、ペーストは、約−４０℃に冷却されるはずである。
【０２４４】
ペーストの乾燥
本発明に従って、止血ペーストを乾燥させて、乾燥止血組成物とする。ペーストは、当業者に既知の任意の適切な方法で乾燥させることができる。
【０２４５】
好適な実施形態において、ペーストは、凍結乾燥される。当業者に既知の任意の適切な凍結乾燥技法および装置を用いることができる。本発明の乾燥ペースト組成物を調製するのに凍結乾燥を用いる場合、膨張、凍結、および乾燥は、有利なことに、単独の装置で連続プロセスとして行うことができる。
【０２４６】
凍結乾燥（低温乾燥とも知られる）は、傷みやすい材料を保存するのに、またはそのような材料の輸送をより簡単にするために用いられる典型的な脱水プロセスである。凍結乾燥は、材料を凍結し、次いで周囲の圧を下げて、材料中の凍結水を固相から気相へ直接昇華させることにより行われる。
【０２４７】
凍結乾燥機は、基本的に３種に分類される：マニホールド凍結乾燥機、ロータリー凍結乾燥機、およびトレイ型凍結乾燥機である。２つの構成要素が、凍結乾燥機全種類に共通する：乾燥させようとする物質が入った容器内の気体常圧を下げるための真空ポンプ、および−４０〜−８０℃に冷却した表面に水分を凝結させることで除去する冷却装置である。マニホールド、ロータリー、およびトレイ型の凍結乾燥機は、乾燥した物質が冷却装置と接する方法において異なっている。マニホールド凍結乾燥機では、短い通常は円形をした管を用いて、乾燥生成物の入った複数の容器を冷却装置と連結する。ロータリー凍結乾燥機およびトレイ型凍結乾燥機は、乾燥物質用に単独の大きな貯留容器を有する。
【０２４８】
ロータリー凍結乾燥機は、通常、ペレット、キューブおよび他の注ぎ込み可能な物質を乾燥させるのに用いられる。ロータリー乾燥機は、円筒形貯留容器を有し、この容器を乾燥中回転させることで、物質をくまなくより均一に乾燥させる。トレイ型凍結乾燥機は、通常、棚のある長方形の貯留容器を有し、生成物（薬学的溶液および組織抽出物など）をトレイ、バイアル、および他の容器などに入れて、その棚に乗せることができる。
【０２４９】
マニホールド凍結乾燥機は、通常、研究室環境で、液状物質を小さな容器で乾燥させる場合、および生成物を短時間の内に使用したい場合に用いられる。マニホールド凍結乾燥機は、生成物を含水量５％未満に乾燥させることができる。加熱しない場合、一次乾燥（非結合水の除去）のみを行うことができる。二次乾燥のためにはヒーターを付ける必要があり、これにより、結合水の除去およびさらなる含水量の低下をもたらすことができる。
【０２５０】
トレイ型凍結乾燥機は、典型的には、マニホールド乾燥機よりも大きくて洗練されている。トレイ型凍結乾燥機は、様々な材料の乾燥に用いられる。トレイ型凍結乾燥機は、長期貯蔵用に最も乾燥した生成物とするのに用いられる。トレイ型凍結乾燥機は、生成物をしかるべき位置で凍結させ、一次（非結合水の除去）および二次（結合水の除去）凍結乾燥の両方を行い、こうして、可能なかぎり最も乾燥した最終生成物とする。トレイ型凍結乾燥機は、生成物をバルクで、またはバイアルもしくは他の容器中で乾燥させることができる。バイアル中で乾燥させる場合、凍結乾燥機には密栓機構が提供され、この機構により栓を定位置に押し込んで、バイアルを密閉してから、バイアルを大気に曝すことができる。これは、ワクチンなどの、長期貯蔵用に用いられる。
【０２５１】
凍結乾燥可能な生成物の範囲を広げるため、生成物の品質を改善するため、およびより少ない労力でより速く生成物を得るため、改良された凍結乾燥技法が開発中である。
【０２５２】
１９３０年代以来、業務用凍結乾燥は、１種類の装置に依存してきた：トレイ型凍結乾燥機である。２００５年に、それまでよりも速くかつ労力の少ない集中凍結乾燥法が、バルク材料用に開発された。この凍結乾燥プロセスは、単独容器から自由流動する粉末を作ることができることを証明した。「撹拌式凍結乾燥」ＡＦＤ技法として知られる、この新規プロセスは、連続動作を用いることで、物質移動を改善し、その結果切断処理時間を改善しながら、乾燥トレイへおよびトレイから下流のサイズ減少装置への移動の必要性も取り除いた。
【０２５３】
完全凍結乾燥プロセス全体では４つの段階がある：前処理、凍結、一次乾燥、および二次乾燥である。
【０２５４】
前処理は、凍結前に行われる生成物のあらゆる処理法を含む。前処理として、生成物の濃縮、配合補正（すなわち、成分を添加して安定性を向上させるおよび／または処理しやすくする）、蒸気圧の高い溶媒の減少、または表面積の増加を挙げることができる。多くの場合、生成物を前処理する決定は、凍結乾燥の理論的知見およびその必要条件に基づいて行われるか、あるいはサイクル時間または生成物の品質に対する考慮から要求される。前処理の方法として、以下が挙げられる：凍結濃縮、溶液相濃縮、生成物外観を保持するための配合、反応性生成物を安定化するための配合、表面積を増加させるための配合、および蒸気圧の高い溶媒の減少。
【０２５５】
研究室では、凍結は、材料を凍結乾燥フラスコに入れ、そのフラスコを浴（シェルフリーザーと呼ばれる）中で回転させ、浴を機械的冷却、ドライアイスとメタノール、または液体窒素により冷却することで、行われることが多い。大規模では、凍結は、通常、凍結乾燥機械を用いて行われる。この工程では、材料をその三重点、すなわち材料の固相と液相が同時に存在し得る最低温度より冷却することが重要である。これにより、続く工程で、溶解ではなく昇華が起こることを確実にする。結晶が大きいほど、凍結乾燥させやすい。より大きな結晶を作るためには、生成物をゆっくりと凍結させる必要があるが、温度を周期的に上げ下げすることによっても可能である。この周期的プロセスはアニーリングと呼ばれる。他の場合では、材料を素早くその共融点より低温に下げることを目的として、凍結を急速に行ったほうが好ましい。そうすることで、氷晶の形成を回避する。通常は、凍結温度は、−４０℃〜−８０℃である。凍結段階は、凍結乾燥プロセス全体において、最も重要である。なぜなら、凍結が正しく行われないと生成物が損なわれる恐れがあるからである。
【０２５６】
無定形材料は、共融点を持たないが、そのかわり臨界点を有し、一次および二次乾燥の間、生成物が再溶解または崩壊するのを防ぐため、生成物をこの温度より低く維持しなければならない。
【０２５７】
一次乾燥段階の間、圧は下げられており（数ミリバール以下の領域まで）、水の昇華のため、材料には十分な熱が供給される。必要な熱量は、昇華する分子の昇華潜熱を用いて計算することができる。この最初の乾燥段階では、材料中の水の約９５％が昇華される。この段階はゆっくり行ってもよい（工業的には数日かかってもよい）。なぜなら、加熱しすぎると、材料の構造を変化させる可能性がでてくるからである。
【０２５８】
この段階では、圧は、中真空を採用することで制御される。吸引は、昇華を速めるので、計画的乾燥プロセスとして有用になる。そのうえさらに、低温のチャンバ形冷却装置および／またはプレート形冷却装置により、水蒸気が再固化するための表面が提供される。この冷却装置は、材料の凍結を維持するのには何の関係なく；それよりも、水蒸気が真空ポンプに達するのを防ぐものである。水蒸気はポンプ性能を落とす可能性がある。冷却装置温度は、通常−５０℃未満である。
【０２５９】
重要なことを強調しておくと、この領域の圧において、熱は主に伝導または放射により与えられる；空気密度が低いため、対流効果は無視できる。
【０２６０】
水の蒸気圧は、水蒸気が飽和しているときの圧である。それより圧が高いと、水は凝縮する。水蒸気圧は、水が飽和している任意の気体混合物における水蒸気の部分圧である。水蒸気圧は、凍結乾燥が起こるのに必要な温度および圧を決定する。水蒸気圧（ｍＴｏｒｒ＝ミリトル；ｍＢ＝ミリバール）を以下の表に示す：
【０２６１】
【表３】
0006390873.tif 000004
【０２６２】
二次乾燥段階は、未凍結水分子を除去することを目的とする。なぜなら、氷は一次乾燥段階で除去されているからである。凍結乾燥プロセスのこの部分は、材料の吸着等温式に支配される。この段階では、温度は一次乾燥段階よりも高温に上げられ、０℃より高い温度さえ可能であり、上げることで、水分子と凍結材料の間に形成されていた任意の物理化学相互作用を破壊する。脱着を促進するため、通常、この段階でも圧は下げられている（典型的には、マイクロバールの領域）。しかしながら、圧力を上げることが有益な生成物も同様に存在する。
【０２６３】
凍結乾燥プロセスが完了したら、不活性ガス（窒素など）で真空を解除し、それから材料を密閉する。
【０２６４】
１つの実施形態において、生成物槽における減圧は保持され、これにより再構築用の液体の添加が容易になる。
【０２６５】
操作の終了時点において凍結乾燥した生成物に含まれる最終残留水量は、一般に、非常に低く、例えば２％程度またはそれ未満である。
【０２６６】
凍結乾燥プロセスは、ペーストを「ケーキ様」乾燥組成物に変化させ、この「ケーキ様」乾燥組成物が、適切な量の水性媒体（水など）の添加で、すぐに使えるペーストを自然に形成する、すなわち、このペーストを形成させるために機械的混合／再構築は必要ない。
【０２６７】
本開示の代替実施形態において、膨張したペーストを乾燥させる前に凍結させることはない。ペーストを凍結乾燥により乾燥させることもない。そうではなくて、低真空を維持して、その間、膨張したペーストが乾燥するまで温度を上げていくことにより、ペーストを乾燥させる。上昇させた温度は、典型的には、約３０〜２００℃、例えば約５０℃〜約１５０℃などの範囲である。したがって、代替実施形態において、本開示の方法は、乾燥組成物を調製する方法であって、以下の工程を含む：
ａ．粉末状の作用剤および水性媒体を用意する工程、
ｂ．粉末状の作用剤および水性媒体を混合してペーストとする工程、
ｃ．ペーストを減圧に供することにより、ペーストを膨張させる工程、および、および
ｄ．過熱乾燥により、ペーストを乾燥させる工程。
【０２６８】
再構築
本発明者らは、湿潤ペースト組成物を、減圧、好ましくは低真空により膨張させてから凍結乾燥させると、このペーストの再構築速度が大幅に向上することを見いだした。すなわち、低真空により膨張したペーストは、低真空により膨張させていない相当する乾燥ペースト組成物よりも速く再構築を行う。減圧により膨張させて乾燥させたペーストは、どのような機械混合も行わずに、自然に再構築を行って実質的に均質な流動性ペーストを形成する。例えば、医薬送達デバイスに入った、減圧膨張させ乾燥させたゼラチンペースト組成物は、乾燥ゼラチンペースト組成物が中に収容されている医薬送達デバイスにある量の水性媒体を添加すると、どのような機械混合も必要とせずに、患者に直接送達するのに適したすぐに使えるペーストの再構築を行う。
【０２６９】
減圧膨張は、ペースト内部の封じ込められた空気のポケットを膨張させ、そのように膨張した空気のポケットは、乾燥ペースト組成物に保持される。乾燥組成物により大きな空気のポケットが存在することにより、乾燥組成物と液体の間の接触表面積が大きくなり、乾燥組成物が濡れることが可能になる。このことはまた、形成されたチャンネルのおかげで、乾燥組成物中に液体が障害無く分配されていくことを促進する。
【０２７０】
本発明者らはまた、１つのバッチのペーストから等分割したペースト体積は、最初に分割した試料の体積の方が、最後のものよりも概して大きいことを発見した。これは、ペーストの部分的崩壊が時間とともに起こり、ペースト密度にばらつきをもたらすためであると考えられる。密度のそのようなばらつきは、再構築時間に望ましくないばらつきを招く可能性がある。乾燥前にペーストを減圧膨張することは、ペースト密度における「バッチ内」ばらつきを縮小、さらには排除さえもする可能性があり、したがって乾燥ペーストの一貫して速い再構築を導くことができる。したがって、減圧膨張は、再構築時間に関して、より高度の再現性を提供する。
【０２７１】
乾燥組成物は、適切な水性媒体を加えることにより再構築を行うことができる。水性媒体は、任意の適切な機構で加えることができる。好ましくは、水性媒体は滅菌されている。水性媒体は、所望の堅牢度の湿潤ペーストを得るのに十分な量で加えられる。１つの実施形態において、乾燥組成物に加えられる液体の体積は、乾燥手順により除去された液体の体積と基本的に一致する。ペースト組成物が希薄なほうが望ましい場合、乾燥手順により最初に除去された液体よりも多い液体を乾燥ペーストに加えることができる。好ましくは、ペーストは、乾燥ペースト組成物が中に収容されている容器（医薬送達デバイスなど）に、さらにより好ましくは減圧膨張、凍結、および乾燥工程の間ペーストを収容していたのと同じ容器に、ある量の液体を加えることにより再構築させることができる。
【０２７２】
１つの実施形態において、乾燥組成物は、乾燥組成物を収容する第一容器に、ある量の水性媒体を収容する第二容器を取り付けることにより、再構築を行うことができる。乾燥組成物を収容する第一容器は、好ましくは、シリンジ、例えば本明細書中開示されるシリンジの減圧槽などである。好ましくは、再構築液体を含む容器は、空気または別の気体を本質的に含まない。このことの利点は、再構築が、容器がお互いに関して空間的にどのような向きにあるかと無関係になることである。
【０２７３】
１つの実施形態において、第一容器の生成物槽内は真空である、すなわち第一容器の生成物槽内の圧は、周囲の圧よりも低い、すなわち常圧よりも低い。
【０２７４】
１つの実施形態において、第二容器内の圧は、第一容器内の圧よりも高く、この圧の差により、第二容器から第一容器へと自動的に液体が流れるようになる。これは、例えば、第一容器を常圧より低い圧とし、一方第二容器内の圧を約常圧とすることにより、達成することができる。そうすると、２つの容器を隔てる弁を開放すると、水性媒体が、圧の差のために、自動的に、第一容器の生成物槽に流れ込む。その結果、ペーストが再構築される。例えば図１２〜図１３を参照。
【０２７５】
したがって、１つの実施形態において、本開示は、乾燥ペースト組成物から再構築を行う方法に関し、本方法は以下の工程を含む：
ａ）乾燥ペースト組成物が入った生成物槽および弁を有する第一容器を用意する工程、好ましくは、生成物槽内の圧は、周囲の常圧より低い、
ｂ）水性媒体が入った第二容器を用意する工程、好ましくは、第二容器内の圧は、第一容器の生成物槽内の圧よりも高い、
ｃ）適切な接続手段を用いて、第一容器と第二容器を接続する工程、および
ｄ）弁を開放する工程。
【０２７６】
１つの実施形態において、第二容器は、ポリ袋などの折り畳める容器である。第一容器に取り付けて弁を開放すると、図１２〜図１３に示すとおり、ポリ袋は圧の差により潰れていき、それにより液体はポリ袋から生成物槽へと流れ込んでいきペーストが再構築される。
【０２７７】
１つの実施形態において、第二容器は、プランジャーを有する折り畳めない容器（硬質プラスチックまたは半硬質プラスチック製容器など）である。第一容器に取り付けて弁を開放すると、図１２〜図１３に示すとおり、プランジャーにより、水性媒体の容器から生成物槽へと液体が流れることができ、プランジャーに外部から手作業で圧を加え得ることなく、ペーストが再構築される。
【０２７８】
好ましくは、すぐに使えるペーストは、容器に収容された乾燥組成物に液体を加えて約３０秒たたないうちに、好ましくは約２０秒たたないうちに、より好ましくは約１０秒たたないうちに、さらにより好ましくは約５秒たたないうちに、例えば約３秒たたないうちなど、例えば、約２秒たたないうちに、自然に形成される。再構築されたペーストは、通常、使用前のさらなる撹拌または他の形態の操作を必要としない。したがって、乾燥ペースト組成物が医薬送達デバイス（シリンジなど）に入っている場合、組成物は、液体添加後直ちに、例えば止血目的ならペーストを医薬送達デバイスから出血している創傷へ押し出すことにより、患者に直接塗布することができる。
【０２７９】
好適な実施形態において、すぐに使えるペーストは、約５秒たたないうちに、例えば約３秒たたないうちに、例えば、約２秒たたないうちに形成される。
【０２８０】
再構築後、容器、例えば、シリンジ（本明細書中開示されるシリンジなど）には、図１４に示すとおり、より正確な様式でペーストを投与するのに適したアプリケーター型先端を嵌合させることができる。
【０２８１】
１つの実施形態において、アプリケーター型先端は、折り曲げ可能または曲げ伸ばし可能であり、使用者が選択した所望の立体配置を維持することができるので、アプリケーター型先端は、容易な到達および生成物の正確な設置に最適な角度のままで存在する。さらに、アプリケーター型先端は、看護用包帯ばさみまたは同様な種類のはさみで所望の長さに切断することができる。こうした特長により、ペーストを正確かつ簡便に塗布することが可能になる。１つの実施形態において、アプリケーター型先端は、本質的に（特許文献７）に記載されるとおりである。
【０２８２】
外側包装材
１つの実施形態において、乾燥組成物は、例えばシリンジ（本明細書中開示されるシリンジなど）または他の収容ユニットに収容された状態で、さらに外側包装材に収容され、それにより、その製品を使用時まで滅菌に保つことができる。そうすると、使用者は、外側包装を取り去って乾燥組成物を滅菌場に移すことができる。そこで、適切な量の水性媒体を加えることができ、添加されると、すぐに使えるペーストが、機械的な振盪、撹拌、または混合をまったく必要とせずに、数秒以内に自然に形成される。
【０２８３】
外側包装材は、通常、柔軟性のある半硬質または硬質材料製で、典型的には、プラスチック、アルミニウム箔、および／または積層プラスチックなどの材料からなる。プラスチックは、ＰＥＴ、ＰＥＴＧ、ＰＥ、ＬＬＤＰＥ、ＣＰＰ、ＰＡ、ＰＥＴＰ、ＭＥＴＰＥＴ、タイベックからなる群より選択することができ、任意選択で接着剤（ポリウレタンなど）により接着されている、または同時押出成形されている。
【０２８４】
１つの実施形態において、外側包装材は、アルミニウム箔製外側包装材である。
【０２８５】
外側包装材は、好ましくは、完全な防湿バリアを形成する。
【０２８６】
外側包装材は、好ましくは、放射線などによる滅菌処理に耐えることができる。
【０２８７】
滅菌
本開示の乾燥組成物は、好ましくは、滅菌されている。当該分野で既知の任意の適切な滅菌技法を利用できる。滅菌は、好ましくは、包装工程後、すなわち乾燥組成物が外側包装材に収容された後に行われる。したがって、好適な実施形態において、滅菌は、最終滅菌である。
【０２８８】
滅菌は、感染性媒介物（真菌、細菌、ウイルス、プリオン、および胞子型のものなど）を有効に殺傷または除去する任意のプロセスを示す。乾燥組成物の滅菌は、例えば、熱、化学物質、および放射線の使用を通じて達成することができる。加熱滅菌として、オートクレーブ加熱（高温の蒸気を用いる）および乾燥加熱が挙げられる；放射線滅菌として、Ｘ線、ガンマ線およびベータ線、ＵＶ光、ならびに素粒子が挙げられる；化学滅菌として、エチレンオキシドガス、オゾン、塩素漂白剤、グルタルアルデヒド、ホルムアルデヒド、オルトフタルアルデヒド、過酸化水素、および過酢酸の使用が挙げられる。
【０２８９】
１つの実施形態において、乾燥組成物は、放射線、例えばイオン化放射線により滅菌され、それにより組成物に滅菌がもたらされる。そのような放射線として、電子線（ベータ放射線）またはガンマ放射線が挙げられる。放射線レベル、および組成物が照射される時間を始めとする滅菌条件は、滅菌組成物が得られるレベルおよび条件である。滅菌条件は、現在入手可能な固められていない止血粉末の調製に現在採用されているものと同様である。いったん、この開示の恩恵を受けたなら、滅菌組成物を提供するのに必要な照射レベルを当業者は容易に決定できるだろう。
【０２９０】
トロンビンまたは他の敏感な生理活性作用剤が乾燥生成物に存在する場合、滅菌は、通常、最終滅菌として、約２５ｋＧｙ以下のベータ線またはガンマ線照射を用いて行われる。
【０２９１】
１つの実施形態において、滅菌は、エチレンオキシドを用いて行われる。
【０２９２】
乾燥加熱による滅菌は、典型的には、乾燥止血組成物を、１００℃〜２５０℃、例えば約１１０℃〜約２００℃などの温度に加熱することで行うことができる。詳細には、この温度は、１１０〜１６０℃の範囲、例えば１１０〜１４０℃の範囲、または１２０〜１８０℃の範囲、または１３０〜１７０℃の範囲、または１３０〜１６０℃の範囲、または１２０〜１５０℃の範囲が可能である。加熱による滅菌は、通常、乾燥組成物がトロンビンを含有する場合は、用いない。なぜなら、加熱処理は、トロンビンを不活性化するだろうからである。
【０２９３】
１つの実施形態において、乾燥止血組成物は、包装後に滅菌されない。乾燥止血組成物が無菌製造技法により製造される場合、外側包装材に入れられる時点で生成物は既に滅菌状態にあるので、それ以上滅菌する必要がない。したがって、１つの実施形態において、本開示は、無菌技法により製造された組成物に関する。
【０２９４】
医療用途
本開示はさらに、乾燥組成物から得られるペーストの、止血および／または創傷治癒を促進するための使用に関する。
【０２９５】
本開示のペーストは、例えば、一連の手術手順の中で出血制御が望まれる場面に用いることができる。止血ペーストは、でこぼこした表面に同化して、素早く出血を止め、したがって、止血スポンジでは上手く行かない、粗いまたはでこぼこした表面で迅速な止血を提供するのに有用である。
【０２９６】
止血ペーストは、医療施術者、すなわち医師または看護師が必要とする時点で、手術部位において、ある量の生体適合性重合体が入った容器（シリンジなど）に液体を加えることで直接調製される。生体適合性重合体は、液体で予め濡れていてもよいし、基本的に乾燥（自由流動する粉末）していてもよい。つまり、ペーストは、極度に緊張の高まった状況下で調製されることが多く、したがって、看護師が止血の準備にではなく、医師の要求に対して集中し続けることができるように、ペーストの調製プロセスが簡潔であり、できるだけ速く確実に止血でき、かつペーストの調製に間違いがまったく起こらないことが必須である。ペーストの堅牢度が止血ペーストとして使用するのに適していることならびに生成物の堅牢度が調製のたびにおよび時間とともに変化することがないことも重要である。
【０２９７】
現在利用可能な流動性ペースト製品（Ｆｌｏｓｅａｌ（登録商標）およびＳｕｒｇｉｆｌｏ（登録商標））は、実質的に均質なペーストを得るために、生体適合性重合体と液体を、接続した２本のシリンジ間で何回も行き来させることにより機械的に混合する必要がある。そのような製品は、手術で必要とされる場合に備えて、手術前に、ＯＲにおいて予め用意されることが多く、使用されなかった製品は廃棄されることが多いので、ＯＲの費用を不必要に高くしている。
【０２９８】
本開示のペーストは、現在利用可能な流動性製品よりも優れている。なぜなら、本開示のペーストは、機械的混合工程の必要性を減らすまたは取り除くからである。本開示のペーストは、乾燥組成物が入った容器にある量の水性媒体を加えると、それだけで、すぐに使える止血ペーストが自然に、すなわち約３０秒たたないうちに、好ましくは約２０秒たたないうちに、より好ましくは約１０秒たたないうちに、さらにより好ましくは約５秒たたないうちに、例えば約３秒たたないうちに、さらには約２秒たたないうちに調製できる。本発明の乾燥組成物が、本明細書中記載されるとおり、減圧で医薬送達デバイスに収容されている場合、水性媒体は、圧の差により生成物槽に自動的に引き込まれ、乾燥組成物からすぐに使える流動性組成物へと自然に再構築が行われる。流動性ペーストは、水性媒体と接触して数秒以内に、医薬送達デバイスから押し出して患者に（例えば出血している創傷に）塗布することができる。
【０２９９】
乾燥組成物に加えるべき液体の量は、当業者により調節できる。正しい量の液体が添加される場合、そのようにして形成されたペーストは、通常、最適の堅牢度を有する。従来のペーストは常にそうなるとは限らず、ペーストの堅牢度は、混合で加えられた力およびかかった時間に依存する可能性がある。機械的混合が必要ではないことは、ペーストの調製にかかる時間が短くなり、ひいては患者の安全性が高まることも意味する。これらはどちらも、止血ペーストをより速く患者に使用できること、および簡潔な調製手順が止血ペーストの調製中に起こる間違いの可能性を下げることという事実による。また、本開示の乾燥組成物は、調製が非常に簡単で素早いため、手術前に本生成物を予め調製する必要がないことから、手術室費用を削減することができる。
【０３００】
トロンビンが乾燥組成物に含まれる場合、本発明は、現在の流動物作製法に関わる、時間がかかり間違いを起こしやすいトロンビンの希釈および添加工程を回避している点で、さらに、従来のペーストに勝る利点を有する。
【０３０１】
本発明の乾燥組成物の別の顕著な利点は、例えば現行の止血流動物キットと比較して、構成要素の少ないキットを制作できることである。ＯＲで流動性ペースト組成物を調製するのに必要なものは、医薬送達デバイスに入れられた本明細書中記載されるとおりの乾燥組成物、および再構築用の水性媒体を収容する容器で全てである。この２つを接続すると、水性媒体が減圧膨張した乾燥組成物に自動的に吸い込まれることで、トロンビンをはじめとする止血実効に必要な作用剤全てを含有するすぐに使える流動性ペーストが、自然に形成される。したがって、本開示の方法に従って生成物を調製するのに、追加のシリンジ、バイアルアダプター、針、および混合ボウルは、必要ではない。このことは、製造費用を削減できることを意味し、患者の安全性も高く保証する。なぜなら、ＯＲの作業員にとって、手術の間把握すべき構成要素が少ないからである。止血剤の調製に針を使用ないことも、ＯＲの作業員の安全性を保証する。
【０３０２】
１つの実施形態において、本開示は、出血を止める／止血を促進する必要がある個体において、出血部位に、本開示の再構築されたペーストを塗布することにより、出血を止める／止血を促進する方法に関する。
【０３０３】
本開示のペーストは、任意の種類の手術に用いることができ、そのような手術として、一般手術、心胸郭手術、血管手術、形成手術、小児手術、結腸直腸手術、移植手術、腫瘍手術、外傷手術、内分泌手術、乳房手術、皮膚手術、耳鼻咽喉手術、婦人科手術、口腔および顎顔面手術、歯科手術、整形手術、脳神経手術、眼科手術、足科手術、泌尿器手術が挙げられる。
【０３０４】
１つの実施形態において、本開示は、創傷治癒を促進する必要がある個体において、創傷に、本開示のペーストを塗布することにより、創傷治癒を促進する方法に関する。
【０３０５】
「創傷」は、様々な起こり方（例えば、長期間ベッドに寝ていることによる床ずれおよび外傷に由来する創傷）で生じた、様々な特性を持つ、皮膚および／またはその下の（皮下）組織の損傷を広く示す。創傷は、その深さに応じて、４つのグレードのいずれかに分類することができる：ｉ）グレードＩ：上皮に限られた創傷；ｉｉ）グレードＩＩ：真皮に到達している創傷；ｉｉｉ）グレードＩＩＩ：皮下組織に到達している創傷；およびｉｖ）グレードＩＶ（すなわち全厚創傷）：骨がむき出しになった創傷（例えば、大転子または仙骨などの骨圧点）。本開示は、上記創傷のどの種類に対しても行われる本開示のペーストを用いた治療に関する。
【０３０６】
創傷の治療は、原理上、創傷の治癒をもたらすか、または創傷の治癒の加速をもたらすことができる。治癒の加速は、例えば、創傷治癒促進物質の投与の結果であってもよい。あるいは、創傷治癒は、細菌またはウイルスの感染を防ぐことにより、または創傷治療プロセスの長期化をいずれにしろもたらす可能性があるような感染の危険性を低下させることにより、促進されてもよい。
【０３０７】
１つの実施形態において、本開示は、骨および／または腱の治癒を促進する必要がある個体において、損傷した骨／腱に、本開示のペーストを塗布することにより、それらの治癒を促進する方法に関する。
【０３０８】
本明細書中示される「個体」は、任意の哺乳類が可能であり、そのような哺乳類として、齧歯目の哺乳類（マウスおよびハムスターなど）、およびウサギ目の哺乳類（ウサギなど）が挙げられるが、それらに限定されない。哺乳類は、ネコ科（ネコ）およびイヌ科（イヌ）を含む食肉目に属するものであることが好ましい。哺乳類は、ウシ科（ウシ）およびイノシシ科（ブタ）を含む偶蹄目、またはウマ科（ウマ）を含む奇蹄目に属するものであることがより好ましい。哺乳類は、霊長目、セボイド目、またはシモイド目（サル）、あるいは真猿亜目（ヒトおよび類人猿）に属するものであることが特に好ましい。特別に好ましい哺乳類は、ヒトである。
【０３０９】
１つの実施形態において、本開示は、創傷の治療に使用するための、例えば出血を止めるためのまたは創傷治癒を促進するための、ペーストを減圧膨張させ凍結乾燥させたもの（本開示の乾燥組成物など）に関する。
【０３１０】
止血キット
本開示はさらに、本発明の乾燥組成物および乾燥組成物の量に合致した量の水性媒体を含み、水性媒体が添加されると、止血ペーストとして用いるのに適した堅牢度の止血ペーストが自然に、すなわち数秒以内に形成される、止血キットに関する。
【０３１１】
したがって、１つの実施形態において、本開示は以下を含む止血キットに関する：
ａ）本開示の方法により得られた乾燥組成物が入った第一容器、
ｂ）水性媒体が入った第二容器、および
ｃ）任意選択の外側包装材。
【０３１２】
さらなる実施形態において、本開示は以下を含む止血キットに関する：
ａ）乾燥組成物が入った本開示のシリンジ、
ｂ）水性媒体が入った容器、および
ｃ）任意選択の外側包装材。
【０３１３】
乾燥組成物は、どのような乾燥組成物でもよく、詳細には、水性媒体を添加すると、止血ペーストとして用いるのに適した堅牢度の止血ペーストが、自然に、すなわち数秒以内に形成される乾燥組成物、例えば、本開示の方法により得られる乾燥組成物などである。
【０３１４】
ペーストを再構築するのに用いられる水性媒体は、例えば、水、生理食塩水、塩化カルシウム溶液、または緩衝化水溶液から選択することができる。
【０３１５】
１つの実施形態において、乾燥組成物を再構築するために用いられる水性媒体は水である。好ましくは、水性媒体の等張力は、乾燥組成物に水性媒体が添加されると、等張性ペーストが形成されるように選択される。
【０３１６】
１つの実施形態において、乾燥組成物から再構築を行うために用いられる水性媒体は、生理食塩水または塩化カルシウム溶液である。
【０３１７】
１つの実施形態において、乾燥組成物は、トロンビンを含む。
【０３１８】
１つの実施形態において、本キットは、さらに、１つまたは複数のアプリケーター型先端を含む。
【０３１９】
本キットは、任意選択で、キットの使用説明書を含むことができる。
【実施例１】
【０３２０】
材料
ゼラチン粉末５０ｇ（架橋ゼラチンスポンジを粉砕したもの）
緩衝液２００ｍｌ
ポリオールｘｇ
５０％塩化ベンザルコニウム（ＢＡＣ）
０．９％生理食塩水
【０３２１】
装置
凍結乾燥機：Ｃｈｒｉｓｔ  Ａｌｐｈａ  １−４  ＬＳＣ
ミキサー：Ｋｅｎｗｏｏｄ、ＭａｊｏｒＫＭ６１６
【０３２２】
方法
緩衝液：
ＢＡＣ（５０％）２．０ｇ±０．１ｇを青キャップの付いた２５０ｍＬビンに入れる
ＢＡＣに生理食塩水９８．０ｇ±０．５ｇを加える
磁気撹拌子で２分間混合する−これをＢＡＣ原液とする
ＢＡＣ原液１０ｇ±０．５ｇを加える
２０００ｍＬの印まで水を加える
フラスコに栓をして、数回上下をひっくり返す
磁気撹拌子で５±１分間混合する
【０３２３】
ペースト：
ミキサーで撹拌しながら、緩衝液２００ｍｌにポリオールｘｇを溶解させる。溶解したポリオールにゼラチン粉末５０ｇを加え、均質なペーストが得られるまで、約５分間、混合する。
【０３２４】
凍結乾燥：
得られるペーストを、凍結乾燥バイパスチャンネルを有する１０ｍｌの使い捨てプラスチックシリンジに充填し（シリンジ１本あたり５．５ｍｌ）、最低でも４時間−３０℃下に置いた。凍結したペーストを凍結乾燥機に移し、乾燥するまで約１５時間凍結乾燥させた。乾燥サイクルが終わったら、凍結乾燥体の板を折り畳み、それによりプランジャーを動かして凍結乾燥バイパスチャンネルを閉じた。次いで、生成物槽内の減圧はそのままに、凍結乾燥機槽内の圧を常圧に戻した。
【０３２５】
再構築：
乾燥組成物が入ったシリンジと水（８ｍｌ）が入った折り畳みポリ袋を接続することで、乾燥止血組成物から再構築を行った。機械的な混合または撹拌は一切行わなかった。生成物槽内の減圧を利用して乾燥組成物に水を加え、ペーストが再形成されるまで組成物には手を触れずに放置した。シリンジの生成物槽内の減圧により、水は、水を収容する容器からシリンジへと自動的に引き込まれた。
【０３２６】
結果
様々な配合について、再構築にかかる時間、すなわちどのような種類の機械的振盪撹拌もせずに、止血目的に適したペーストが自然に形成されるのに必要な時間を調べた。
【０３２７】
上記の記述に従って、様々なポリオールを含むペーストを作り、乾燥させ、再構築を行った。ペーストの内容を以下の表に示す。
【０３２８】
【表４】
0006390873.tif 000005
【０３２９】
【表５】
0006390873.tif 000006
【０３３０】
【表６】
0006390873.tif 000007
【０３３１】
【表７】
0006390873.tif 000008
【０３３２】
【表８】
0006390873.tif 000009
【０３３３】
乾燥組成物でのポリオール：ゼラチン比は、約０．４：１であった。
【０３３４】
上記の表に従って作られた様々なポリオールを含むペーストの自然再構築時間を以下の表および図１に示す。実験は、各ポリオールについて５回繰り返した。
【０３３５】
【表９】
0006390873.tif 000010
【０３３６】
この実験は、水性媒体を添加すると約３０秒たたないうちに自然に再構築されるゼラチンペースト凍結乾燥物を作るのに様々な種類のポリオールが使用可能であることを示す。再構築されたペーストは、止血ペーストとして直接使用するのに適した堅牢度を有する。
【実施例２】
【０３３７】
トロンビン
以下のペースト配合物に、２５００ＩＵ／生成物の理論濃度でトロンビンを含ませた。ペーストは、室温（約２０℃）で作り、実施例１に記載のとおりに混合した。
【０３３８】
ペースト乾燥物は、自然に再構築される時間が約５秒であった。ペースト配合の内容を、ペースト（湿潤）状態および乾燥組成物（乾燥）状態それぞれについて、以下の表に示す。
【０３３９】
【表１０】
0006390873.tif 000011
【０３４０】
全ポリオール、すなわちマンニトールおよびグリセロールの、ペースト中濃度は、１３．５６％および乾燥後４２．２７％であった。
【０３４１】
乾燥組成物中のポリオール：ゼラチン比は、約０．７５：１であった。
【０３４２】
ペーストを、実施例１に記載のとおり、凍結乾燥により乾燥させ、再構築を行った。
【０３４３】
再構築されたペーストでトロンビン活性を測定した。結果を以下の表に示す。
【０３４４】
【表１１】
0006390873.tif 000012
【０３４５】
再構築されたペーストでトロンビン活性の損失は観測されなかった。
【０３４６】
これらの結果は、トロンビン活性の損失を回避するためにペーストの混合を低温で行うことは厳密には必要ではないことを示す、というのも混合を周辺温度で行ってもトロンビン活性の低下は見られなかったからである。
【実施例３】
【０３４７】
凍結乾燥前のペーストの減圧膨張
マンニトールを含むゼラチンペーストを、基本的に実施例１に記載のとおりに調製し、等分割して１０ｍｌの使い捨てシリンジに入れた。各シリンジに、ペースト４ｇを入れた。ペースト配合の内容を、ペースト（湿潤）状態および乾燥組成物（乾燥）状態それぞれについて、以下の表に示す。
【０３４８】
【表１２】
0006390873.tif 000013
【０３４９】
調製したペーストは、実施例１に記載のとおり直接凍結乾燥させる（標準凍結乾燥）か、または約８５０ｍｂａｒの低真空に供し、続いてこの真空を解除することなく−４０℃の凍結工程を行い、最後に基本的に実施例１に記載のとおり凍結乾燥させた（減圧膨張して凍結乾燥）。減圧膨張は、周辺温度、すなわち約２０℃で行った。ペーストを減圧、すなわち真空に供すると、ペーストは、ほぼ即座に体積が膨張した。
【０３５０】
減圧膨張の前は、ゼラチンペーストの密度は、およそ約０．７ｇ／ｍｌであった。減圧膨張後、ペーストの密度は、およそ約０．５ｇ／ｍｌであり、これはペーストの密度が約０．７２倍に低下すると同時にペースト体積が約１．４倍に増加することに相当した。
【０３５１】
凍結乾燥させた生成物は、基本的に実施例１に記載のとおり、凍結乾燥させた生成物に生理食塩水５．５ｍｌを加えることにより再構築を行い、ペーストが完全に生理食塩水を吸収するのにかかる時間を測定した。シリンジの生成物槽内の真空が、液体を自動的に引き込む。減圧膨張させたペーストおよび標準ペーストの両方とも、再構築後は、柔らかく湿潤であり、互角の吸収容量を示した。再構築されたペーストの堅牢度は、患者で直接使用するのに適していると判断された。再構築されたペーストは、わずかにオフホワイト／黄色がかった色をしていた。
【０３５２】
乾燥ペースト組成物からの再構築時間を、以下の表および図２に示す。実験は５回繰り返した（ｎ＝５）。
【０３５３】
【表１３】
0006390873.tif 000014
【０３５４】
本発明者らは、期せずして、ペーストを凍結前に減圧に供することにより、止血ペースト乾燥物からの再構築が、減圧膨張していないペーストからよりも７倍超速いことを見いだした。再構築は、どのような種類の機械的振盪も、混合も、撹拌も必要とせず、止血目的で直接使用するのに適した堅牢度のすぐに使える止血ペーストが、数秒以内に形成された。
【実施例４】
【０３５５】
減圧膨張させたペーストの乾燥物の密度
マンニトールを含むゼラチンペーストを、実施例１および３に記載のとおりに調製した。ペーストを、様々な減圧レベル（１０００ｍｂａｒ（減圧なし）、８５０ｍｂａｒ、および６００ｍｂａｒ）で減圧膨張させ、次いで実施例３に記載のとおり、凍結させ、凍結乾燥させた。
【０３５６】
乾燥ペースト組成物の密度を、以下の表および図１５に示す。
【０３５７】
【表１４】
0006390873.tif 000015
【０３５８】
乾燥組成物は、自然に再構築を行って、止血および／または創傷治癒使用に適した柔らかく湿潤したペーストを形成した。
【０３５９】
結果は、ペーストを乾燥前に膨張させるのに様々な圧を使用できることを示す。
【０３６０】
結果はさらに、膨張に用いた圧が乾燥ペースト組成物の密度に影響を及ぼすことを示す。実際、圧と乾燥組成物密度の間には高い相関があるように見え、圧が低いほど、最終的な乾燥ペースト組成物の密度も低くなる。
【実施例５】
【０３６１】
減圧膨張およびポリオール濃度の効果
様々な量のマンニトール（マンニトールなし、中量のマンニトール（約３．９％）、または大量のマンニトール（約７．４％））を含むゼラチンペーストを、基本的に実施例１に記載のとおり調製したが、ただしＶｉｒｔｉｓ  Ｇｅｎｅｓｉｓ  ３５凍結乾燥機を用いた。ペーストの塊を等分割して、減圧バイパスを有する１０ｍｌ使い捨てシリンジに入れた。各シリンジに、ペースト４ｇを入れた。ペースト配合の内容を、ペースト（湿潤）状態および乾燥組成物（乾燥）状態それぞれについて、以下の表に示す。
【０３６２】
【表１５】
0006390873.tif 000016
【０３６３】
【表１６】
0006390873.tif 000017
【０３６４】
【表１７】
0006390873.tif 000018
【０３６５】
調製したペーストは、実施例１に記載のとおり直接凍結乾燥させる（無膨張）か、または約８５０ｍｂａｒの低真空に供し、続いてこの真空を解除することなく−４０℃の凍結工程を行い、最後に基本的に実施例１に記載のとおり凍結乾燥させた（減圧膨張）。減圧膨張は、周辺温度、すなわち約２０℃で行った。
【０３６６】
凍結乾燥させた生成物は、シリンジ中で凍結乾燥させた生成物に生理食塩水５．５ｍｌを加えることにより再構築を行い、ペーストが完全に生理食塩水を吸収するのにかかる時間を測定した。機械的混合は行わなかった。再構築されたペーストは、柔らかく湿潤であり、互角の吸収容量を示した。しかしながら、マンニトールを含まず膨張させなかったゼラチンペーストの堅牢度は、マンニトール含有ペーストおよび／または減圧で膨張させたペーストよりも劣っていた。再構築されたペーストは、わずかにオフホワイト／黄色がかった色をしていた。
【０３６７】
乾燥ペースト組成物からの平均再構築時間を、以下の表および図２１に示す。実験は５回繰り返した（ｎ＝５）。
【０３６８】
【表１８】
0006390873.tif 000019
【０３６９】
＊再構築されたペーストの堅牢度は、マンニトール含有ペーストおよび／または減圧で膨張させたペーストよりも明らかに劣っていた。
【０３７０】
ゼラチンペーストを凍結乾燥する前に減圧膨張させると、マンニトールの有無に関わらず、ゼラチン乾燥ペースト組成物の再構築時間を大幅に短縮した。実際、減圧膨張は、ゼラチンペーストの自然再構築時間を約３倍以上短縮することができた。自然再構築時間は、乾燥組成物にマンニトールが含まれることで、さらに改善された、すなわち短縮された。マンニトールは、再構築されたペーストの堅牢度も改善した。
【０３７１】
ポリエチレングリコール（ＰＥＧ）を７．４％含有するゼラチンペーストも、上記のとおり調製し、減圧膨張させ、凍結乾燥させた。ペースト配合の内容を、ペースト（湿潤）状態および乾燥組成物（乾燥）状態それぞれについて、以下の表に示す。
【０３７２】
【表１９】
0006390873.tif 000020
【０３７３】
ＰＥＧを含む乾燥ペースト組成物の平均再構築時間は、８．２＋／−２．４秒であった（ｎ＝５）。ＰＥＧ含有ゼラチンペーストを減圧膨張して乾燥させたものは、対照物（どのような親水性化合物も添加されてないゼラチンペーストを減圧膨張したもの）よりも約１．７倍速く再構築を行い、堅牢度も勝っていた。結果を図２２に示す。
【０３７４】
本発明者らはまた、１つのバッチのペーストから等分割したペースト体積は、最初に分割した試料の体積の方が、最後のものよりも概して大きいことを発見した。これは、ペーストの部分的崩壊が時間とともに起こり、ペースト密度に望ましくないばらつきをもたらすためであると考えられる。密度のそのようなばらつきは、再構築時間に望ましくないばらつきを招く可能性がある。乾燥前にペーストを減圧膨張することは、１つのバッチのペーストから等分した最初の分割分と最後の分割分との間に生じる可能性があるペースト密度のばらつきを縮小、さらには排除さえもすることができると思われる。
【０３７５】
まとめると、これらの結果は、乾燥前の減圧膨張が、再構築速度を大幅に改善し、また再構築時間に関してより一貫した結果をもたらすことができることを示す。自然再構築速度は、乾燥ペースト組成物に含まれるポリオールの量を増やすことにより、さらに改善することができる。また、親水性化合物（ポリオールなど）が乾燥ペースト組成物に含まれていることは、再構築されたペーストの堅牢度も改善した。
【０３７６】
本開示のさらなる詳細
本開示のさらなる詳細を以下の項目で提供する：
【０３７７】
１．乾燥組成物を調製する方法であって、以下の順次工程を含む、方法：
ａ．粉末状の作用剤および水性媒体を用意する工程、
ｂ．粉末状の作用剤および水性媒体を混合してペーストとする工程、
ｃ．ペーストを減圧に供し、それによりペーストを膨張させる工程、
ｄ．膨張したペーストを凍結させる工程、および
ｅ．ペーストを乾燥させる工程。
【０３７８】
２．減圧は、常圧より少なくとも５０ｍｂａｒ低い圧、例えば常圧より少なくとも１００ｍｂａｒ低いなど、例えば、常圧より少なくとも１５０ｍｂａｒ低い、例えば常圧より少なくとも２００ｍｂａｒ低いなど、例えば、常圧より少なくとも２５０ｍｂａｒ低い、例えば常圧より少なくとも３００ｍｂａｒ低いなど、例えば、常圧より少なくとも３５０ｍｂａｒ低い、例えば常圧より少なくとも４００ｍｂａｒ低いなど、例えば、常圧より少なくとも４５０ｍｂａｒ低い、例えば常圧より少なくとも５００ｍｂａｒ低いなど、例えば、常圧より少なくとも５５０ｍｂａｒ低い、例えば常圧より少なくとも６００ｍｂａｒ低いなど、例えば、常圧より少なくとも６５０ｍｂａｒ低い、例えば常圧より少なくとも７００ｍｂａｒ低いなど、例えば、常圧より少なくとも７５０ｍｂａｒ低い、例えば常圧より少なくとも８００ｍｂａｒ低いなど、例えば、常圧より少なくとも８５０ｍｂａｒ低い、例えば常圧より少なくとも９００ｍｂａｒ低いなどの、圧である、項目１に記載の方法。
【０３７９】
３．ペーストの体積は、減圧の結果として、約１．０５倍〜約２．０倍、例えば約ａ１．１倍〜約１．８倍など、例えば、約１．２倍〜約１．６倍に増加する、項目１または２に記載の方法。
【０３８０】
４．ペーストの密度は、減圧膨張の結果として少なくとも０．９５倍、例えば少なくとも０．９０倍など、例えば、少なくとも０．８５倍、例えば少なくとも０．８０倍など、例えば、少なくとも０．７５倍、例えば少なくとも０．７０倍など、例えば、少なくとも０．６５倍、例えば少なくとも０．６０倍など、例えば、少なくとも０．５５倍倍、例えば減圧膨張の結果として少なくとも０．５０倍などで、低下する、項目１から３のいずれか１つに記載の方法。
【０３８１】
５．粉末状の作用剤は、生体適合性重合体である、項目１から４のいずれか１つに記載の方法。
【０３８２】
６．粉末状の作用剤は、架橋している、項目１から５のいずれか１つに記載の方法。
【０３８３】
７．粉末状の作用剤は、生物学的に吸収可能である、項目１から６のいずれか１つに記載の方法。
【０３８４】
８．粉末状の作用剤は、ゼラチンである、項目１から７のいずれか１つに記載の方法。
【０３８５】
９．乾燥は、凍結乾燥である、項目１から８のいずれか１つに記載の方法。
【０３８６】
１０．乾燥は、水分量が約５％未満、好ましくは水分量が約２％未満である乾燥組成物をもたらす、項目１から９のいずれか１つに記載の方法。
【０３８７】
１１．粉末状の作用剤および水性媒体は、１種または複数の親水性化合物と混合される、項目１から１０のいずれか１つに記載の方法。
【０３８８】
１２．乾燥前のペーストは、約２％〜約４０％の１種または複数の親水性化合物、例えば、約２％〜約３０％の１種または複数の親水性化合物、例えば約２％〜約２５％の１種または複数の親水性化合物など、例えば、約２％〜約２０％の１種または複数の親水性化合物、例えば約２％〜約１８％の１種または複数の親水性化合物など、例えば、約２％〜約１７％の１種または複数の親水性化合物、例えば約２％〜約１６％の１種または複数の親水性化合物など、例えば、約２％〜約１５％の１種または複数の親水性化合物を含む、項目１１に記載の方法。
【０３８９】
１３．乾燥前のペーストは、以下を含む、項目１１から１２のいずれか１つに記載の方法：
ａ．約２％〜約４０％の１種または複数の親水性化合物、
ｂ．約１０％〜約６０％の粉末状の作用剤、および
ｃ．約５０％〜約９０％の水。
【０３９０】
１４．乾燥前のペーストは、以下を含む、項目１１から１２のいずれか１つに記載の方法：
ａ．約５％〜約２０％の１種または複数の親水性化合物、
ｂ．約１５％〜約２５％の粉末状の作用剤、および
ｃ．約６０％〜約８０％の水。
【０３９１】
１５．１種または複数の親水性化合物は、１種または複数のポリオールである、項目１１から１４のいずれか１つに記載の方法。
【０３９２】
１６．１種または複数のポリオールは、糖アルコール、糖類、および／またはそれらの誘導体から選択される、項目１５に記載の方法。
【０３９３】
１７．１種または複数の糖アルコールは、グリコール、グリセロール、エリスリトール、トレイトール、アラビトール、キシリトール、リビトール、マンニトール、ソルビトール、ズルシトール、フシトール、イジトール、イノシトール、ボレミトール、イソマルト、マルチトール、ラクチトール、およびポリグリシトールからなる群より選択される、項目１６に記載の方法。
【０３９４】
１８．１種または複数のポリオールは、マンニトールおよび任意選択の１種または複数のさらなる親水性化合物である、項目１５から１７のいずれか１つに記載の方法。
【０３９５】
１９．乾燥組成物はさらに、止血、創傷治癒、骨治癒、組織治癒、および／または腱治癒を刺激することができる１種または複数の生理活性作用剤を含む、項目１から１８のいずれか１つに記載の方法。
【０３９６】
２０．生理活性作用剤は、トロンビンである、項目１９に記載の方法。
【０３９７】
２１．水性媒体は、水、生理食塩水、塩化カルシウム溶液、および緩衝化水性媒体からなる群より選択される、項目１から２０のいずれか１つに記載の方法。
【０３９８】
２２．乾燥組成物を外側包装材（アルミニウム箔包装材など）に入れるさらなる工程を含む、項目１から２１のいずれか１つに記載の方法。
【０３９９】
２３．乾燥組成物を滅菌するさらなる工程を含む、項目１から２２のいずれか１つに記載の方法。
【０４００】
２４．乾燥組成物は、機械撹拌なしに再構築を行って、約３０秒たたないうちに、好ましくは約２０秒たたないうちに、より好ましくは約１０秒たたないうちに、さらにより好ましくは約５秒たたないうちに、例えば約３秒たたないうちになど、例えば、約２秒たたないうちに、すぐに使えるペーストを形成する、項目１から２３のいずれか１つに記載の方法。
【０４０１】
２５．湿潤ペーストを減圧膨張させたもので、密度が約０．２ｇ／ｍｌ〜約０．６ｇ／ｍｌ、より好ましくは約０．３ｇ／ｍｌ〜約０．６ｇ／ｍｌ、例えば約０．４ｇ／ｍｌ〜約０．５ｇ／ｍｌなどである、湿潤ペースト組成物。
【０４０２】
２６．項目１から２４のいずれか１つの方法により得ることができる乾燥組成物。
【０４０３】
２７．ペーストを減圧膨張させて凍結乾燥させたもので、密度が約１ｍｇ／ｍｌ〜約４０ｍｇ／ｍｌ、例えば約５ｍｇ／ｍｌ〜約３５ｍｇ／ｍｌなど、例えば、約１０ｍｇ／ｍｌ〜約３５ｍｇ／ｍｌである、乾燥組成物。
【０４０４】
２８．ペースト凍結乾燥物を減圧で保持するシリンジであって、以下を含むシリンジ
・注射外筒、注射外筒は以下を含む
・開口近位端および第一の流体開口を持つ遠位端を有する、ペーストを入れるための減圧槽、
・第二の流体開口があり、液体容器と接続するのに適した連結部、および
・連結部と減圧槽の遠位端を接続する圧力槽、
・圧力弁、圧力弁は圧力槽に位置し、第一の位置では第一および第二の流体開口を密閉し、第二の位置では第一流体開口と第二流体開口の間の流体通路となる／を作るように構成される、
・開口近位端を通って減圧槽中で軸方向に移動するように作られているプランジャー、ならびに
・１つまたは複数の減圧バイパスチャンネル。
【０４０５】
２９．注射外筒は、減圧槽の近位端にフランジを有する、項目２８のいずれか１つに記載のシリンジ。
【０４０６】
３０．シリンジは、項目２６に記載の乾燥組成物を保持するように構成されている、項目２８から２９のいずれか１つに記載のシリンジ。
【０４０７】
３１．ペースト凍結乾燥物は、項目１から２４のいずれか１つに記載の方法により得られる、項目２８から３０のいずれか１つに記載のシリンジ。
【０４０８】
３２．連結部は、ルアーロックまたはルアースリップコネクター、好ましくはオス側ルアーロックまたはルアースリップコネクターである、項目２８から３１のいずれか１つに記載のシリンジ。
【０４０９】
３３．連結部は、ねじ部を有する、項目２８から３２のいずれか１つに記載のシリンジ。
【０４１０】
３４．圧力弁は、圧力槽に位置しており、圧力槽の第一の位置では第一および第二の流体開口を密閉し、圧力槽の第二の位置では第一流体開口と第二流体開口の間の流体通路となる／を作るように構成される、項目２８から３３のいずれか１つに記載のシリンジ。
【０４１１】
３５．圧力槽は、減圧槽と第二の流体開口の間に位置する、項目２８から３４のいずれか１つに記載のシリンジ。
【０４１２】
３６．圧力槽は、減圧槽の遠位端に隣接する近位端、および連結部の近位端に隣接する遠位端を有する、項目２８から３５のいずれか１つに記載のシリンジ。
【０４１３】
３７．連結部は、圧力槽の遠位端に隣接する近位端、および液体容器との接続に適した遠位端を有する、項目２８から３６のいずれか１つに記載のシリンジ。
【０４１４】
３８．第二の流体開口は、連結部を通じて延びるチャンネルを形成する、項目２８から３７のいずれか１つに記載のシリンジ。
【０４１５】
３９．第二の流体開口は、圧力槽の遠位端に隣接する近位端、および流体の入口および出口用の遠位端を有する、項目２８から３８のいずれか１つに記載のシリンジ。
【０４１６】
４０．圧力弁は、上記第一の位置にあるときに、第一の流体開口の遠位端および第二の流体開口の近位端を密閉するように構成されている、項目２８から３９のいずれか１つに記載のシリンジ。
【０４１７】
４１．圧力槽の内側は円柱状である、項目２８から３３のいずれか１つに記載のシリンジ。
【０４１８】
４２．圧力弁は、溝を有し、溝は、圧力弁が第二の位置にあるときに、流体通路となる、項目２８から４１のいずれか１つに記載のシリンジ。
【０４１９】
４３．圧力弁は、溝により軸方向で分割された２つの円柱状区分を有し、溝は、圧力弁が第二の位置にあるときに、流体通路となる、項目２８から４２のいずれか１つに記載のシリンジ。
【０４２０】
４４．圧力弁の第一位置と第二位置は、シリンジの長軸に対して放射状に配置されている、項目２８から４３のいずれか１つに記載のシリンジ。
【０４２１】
４５．圧力弁は、上記第一の位置にあるとき、圧力槽から突き出ている、項目２８から４４のいずれか１つに記載のシリンジ。
【０４２２】
４６．圧力弁は、上記第二の位置にあるとき、圧力槽と同一平面になるおよび／または圧力槽に完全に一体化する、項目２８から４５のいずれか１つに記載のシリンジ。
【０４２３】
４７．圧力弁は、圧力槽から突き出した圧力弁の末端に弁フランジを有し、この弁フランジは、上記第一の位置にあるときに、圧力槽から突き出ており、かつこの弁フランジは、上記第二の位置にあるときに、圧力槽と同一平面になるおよび／または圧力槽に完全に一体化する、項目２８から４６のいずれか１つに記載のシリンジ。
【０４２４】
４８．圧力弁は、第一位置と第二位置の間を、回転式に移動する、項目２８から４７のいずれか１つに記載のシリンジ。
【０４２５】
４９．圧力弁は、圧力弁が第二の位置にあるときに流体通路となる貫通チャンネルを有する、項目２８から４８のいずれか１つに記載のシリンジ。
【０４２６】
５０．圧力弁は、圧力弁が第二の位置にあるときに流体通路となる貫通放射状チャンネルを持つ円柱状区画を有する、項目２８から４９のいずれか１つに記載のシリンジ。
【０４２７】
５１．圧力弁および圧力槽は、圧力弁の第二の位置が固定位置であるように構成される、項目２８から５０のいずれか１つに記載のシリンジ。
【０４２８】
５２．圧力弁および圧力槽は、圧力弁が第二の位置にあるときに、圧力弁の軸方向の移動が固定されるように構成される、項目２８から５１のいずれか１つに記載のシリンジ。
【０４２９】
５３．圧力弁および圧力槽は、圧力弁が第二の位置にあるときに、圧力弁の回転が固定されるように構成される、項目２８から５２のいずれか１つに記載のシリンジ。
【０４３０】
５４．上記１つまたは複数の減圧バイパスチャンネルは、減圧槽と周辺大気との流体（気体など）連通を提供するように構成される、項目２８から５３のいずれか１つに記載のシリンジ。
【０４３１】
５５．シリンジは、減圧槽内側でプランジャーが少なくとも第一の軸位置にあるときに、プランジャーが減圧槽と密閉式に係合するように、かつ減圧槽内側でプランジャーが少なくとも第二の軸位置にあるときには、上記１つまたは複数の減圧バイパスチャンネルを介して、プランジャーを横断する流体連通が確立されるように、構成される、項目２８から５４のいずれか１つに記載のシリンジ。
【０４３２】
５６．上記１つまたは複数の減圧バイパスチャンネルは、減圧槽内側で、プランジャーが予め定められた軸位置にあるときには、減圧槽とプランジャーの間の閉鎖を破るように構成される、項目２８から５５のいずれか１つに記載のシリンジ。
【０４３３】
５７．上記１つまたは複数の減圧バイパスチャンネルは、減圧槽に形成される、項目２８から５６のいずれか１つに記載のシリンジ。
【０４３４】
５８．上記１つまたは複数の減圧バイパスチャンネルは、減圧槽の近位端の内側表面に形成された１つまたは複数の長軸方向の溝である、項目２８から５７のいずれか１つに記載のシリンジ。
【０４３５】
５９．上記１つまたは複数の減圧バイパスチャンネルは、プランジャーに形成されている、項目２８から５８のいずれか１つに記載のシリンジ。
【０４３６】
６０．注射外筒は、一体の材料で形成される、項目２８から５９のいずれか１つに記載のシリンジ。
【０４３７】
６１．注射外筒は、１回のサイクルの射出成形による製造に適している、項目２８から６０のいずれか１つに記載のシリンジ。
【０４３８】
６２．減圧槽、圧力槽、および連結部は、別々の構成要素として形成され、シリンジの製造中に組み立てられるように構成される、項目２８から６１のいずれか１つに記載のシリンジ。
【０４３９】
６３．圧力槽および連結部は１つの構成要素として形成され、シリンジの製造中に減圧槽と組み立てられるように構成される、項目２８から６２のいずれか１つに記載のシリンジ。
【０４４０】
６４．減圧槽および圧力槽は１つの構成要素として形成され、シリンジの製造中に連結部と組み立てられるように構成される、項目２８から６３のいずれか１つに記載のシリンジ。
【０４４１】
６５．圧力弁は開口部を有し、開口部は、圧力弁が第二の位置にあるときに流体通路の少なくとも一部となり、この開口部は、好ましくは注射外筒の長軸方向に延びる、項目２８から６４のいずれか１つに記載のシリンジ。
【０４４２】
６６．圧力弁は、１つまたは複数の突起を有し、好ましくはそれらは横方向に（流体通路に対して横方向など）突き出している、項目２８から６５のいずれか１つに記載のシリンジ。
【０４４３】
６７．圧力弁は、上記第一の位置において、圧力槽から放射状および／または横方向に突き出しており、この場合、圧力弁は、上記第二の位置において、圧力槽と同一平面になるまたは圧力槽に完全に沈み込む、項目２８から６６のいずれか１つに記載のシリンジ。
【０４４４】
６８．圧力弁は、上面を有し、この上面が、上記第二の位置において、圧力槽の上面と同一平面になる、項目２８から６７のいずれか１つに記載のシリンジ。
【０４４５】
６９．圧力弁は、圧力弁が上記第二の位置にあるときに、圧力槽の丸めた上面と一致するように構成された丸めた上面を有する、項目２８から６８のいずれか１つに記載のシリンジ。
【０４４６】
７０．圧力弁および圧力槽は、圧力弁が上記第一の位置にあるときに、圧力弁の横方向および／または放射状の動きが制限されるように構成される、項目２８から６９のいずれか１つに記載のシリンジ。
【０４４７】
７１．圧力弁および圧力槽は、圧力弁が上記第一の位置にあるときに、圧力弁上の１つまたは複数の突起により、圧力弁の横方向および／または放射状の動きが制限されるように構成される、項目２８から７０のいずれか１つに記載のシリンジ。
【０４４８】
７２．圧力槽の内側壁は、第一の位置にある圧力弁の横方向および／または放射状の移動を制限するように構成された狭窄を有する、項目２８から７１のいずれか１つに記載のシリンジ。
【０４４９】
７３．圧力弁および圧力槽は、圧力弁が、圧力槽の片側から、好ましくは圧力槽の片側からのみ、挿入することができるように構成される、項目２８から７２のいずれか１つに記載のシリンジ。
【０４５０】
７４．容器であって、以下：
ａ．水性媒体を添加するとペーストを形成することができる乾燥組成物が入った生成物槽、生成物槽内の圧は、生成物槽外側の圧よりも低い、および
ｂ．弁。
【０４５１】
７５．シリンジ、例えばプラスチック製使い捨てシリンジ、例えば項目２９から７３のいずれか１つに記載のシリンジなどである、項目７４の容器。
【０４５２】
７６．乾燥組成物から再構築を行う方法であって、以下の工程を含む方法：
ａ）項目７４から７５のいずれか１つに記載の容器を用意する工程、この容器が第一容器である、
ｂ）水性媒体が入った第二容器を用意する工程、第二容器内の圧は、第一容器の生成物槽内の圧よりも高い、
ｃ）適切な接続手段を用いて、第一容器と第二容器を接続する工程、および
ｄ）弁を開放する工程。
【０４５３】
７７．乾燥組成物から再構築を行う方法であって、以下の工程を含む方法：
ａ．水性媒体を添加するとペーストを形成することができる乾燥組成物が入った項目２９から７３のいずれか１つに記載のシリンジを用意する工程、乾燥組成物は、減圧槽に入っており、かつ減圧槽内の圧は減圧槽外側の圧よりも低く、かつシリンジの圧力弁は第一の位置で配置されている、
ｂ．水性媒体が入った第二容器を用意する工程、
ｃ．適切な接続手段を用いて、シリンジの連結部を介して、シリンジと第二容器を接続する工程、および
ｄ．シリンジの圧力弁を、第二の位置に動かし、それによりシリンジの減圧槽と第二容器の間に流体の接続をもたらす工程。
【０４５４】
７８．乾燥組成物は、約３０秒たたないうちに、好ましくは約２０秒たたないうちに、より好ましくは約１０秒たたないうちに、さらにより好ましくは約５秒たたないうちに、例えば３秒たたないうちになど、例えば、２秒たたないうちに再構成を行う、項目７６から７７のいずれか１つに記載の方法。
【０４５５】
７９．水性媒体が入った第二容器は、ｉ）折り畳める容器（ポリ袋など）およびｉｉ）プランジャーを有する折り畳めない容器から選択される、項目７６から７８のいずれか１つに記載の方法。
【０４５６】
８０．止血キットであって、以下を含むキット：
ａ）乾燥組成物が入った項目２９から７３のいずれか１つに記載のシリンジ、
ｂ）水性媒体が入った容器、および
ｃ）任意選択の外側包装材。
【０４５７】
８１．乾燥組成物は、水性媒体を添加すると止血ペーストとして使用するのに適した堅牢度の止血ペーストを形成するように、例えば数秒以内で自然に形成するように、構成されている乾燥組成物である、項目８０に記載の止血キット。
【０４５８】
８２．乾燥組成物は、項目１から２４のいずれか１つに記載の方法により得られる、項目８０から８１のいずれか１つに記載の止血キット。
【０４５９】
８３．止血キットであって、以下を含むキット：
ａ）項目１から２４のいずれか１つに記載の方法により得られる乾燥組成物が入った容器または項目７４から７５のいずれか１つに記載の容器、
ｂ）水性媒体が入った容器、および
ｃ）任意選択の外側包装材。
【図１】
0006390873.tif 000021
【図２】
0006390873.tif 000022
【図３】
0006390873.tif 000023
【図４】
0006390873.tif 000024
【図５】
0006390873.tif 000025
【図６】
0006390873.tif 000026
【図７】
0006390873.tif 000027
【図８】
0006390873.tif 000028
【図９】
0006390873.tif 000029
【図１０】
0006390873.tif 000030
【図１１】
0006390873.tif 000031
【図１２】
0006390873.tif 000032
【図１３】
0006390873.tif 000033
【図１４】
0006390873.tif 000034
【図１５】
0006390873.tif 000035
【図１６ａ】
0006390873.tif 000036
【図１６ｂ】
0006390873.tif 000037
【図１６ｃ】
0006390873.tif 000038
【図１６ｄ】
0006390873.tif 000039
【図１７ａ】
0006390873.tif 000040
【図１７ｂ】
0006390873.tif 000041
【図１８ａ】
0006390873.tif 000042
【図１８ｂ】
0006390873.tif 000043
【図１９ａ】
0006390873.tif 000044
【図１９ｂ】
0006390873.tif 000045
【図１９ｃ】
0006390873.tif 000046
【図１９ｄ】
0006390873.tif 000047
【図２０ａ】
0006390873.tif 000048
【図２０ｂ】
0006390873.tif 000049
【図２０ｃ】
0006390873.tif 000050
【図２０ｄ】
0006390873.tif 000051
【図２１】
0006390873.tif 000052
【図２２】
0006390873.tif 000053